(57)【要約】【課題】ロック手段をアンロックした時点でそれをエラー報知できるようにする。【解決手段】遊技機本体１０と、遊技機本体１０に枢軸７１廻りに第１位置Ａと第２位置Ｂとに変位可能に設けられた可動体７０と、可動体７０を第１位置Ａで遊技機本体１０にロック可能なロック手段１００とを備え、ロック手段１００のアンロックを検出するアンロック検出手段１０１と、アンロック検出手段１０１がロック手段１００のアンロックを検出したときにエラー報知するエラー報知手段３７とを備えている。ロック手段１００はアンロック状態に保持可能であり、アンロック検出手段１０１は可動体７０が一つの位置にあっても、ロック手段１００がアンロック状態のときにはロック手段１００のアンロックを検出する。【選択図】図３
2019154511.tif 000002
【特許請求の範囲】
【請求項１】
遊技機本体と、
前記遊技機本体に複数の位置に変位可能に設けられた可動体と、
前記可動体を前記複数の位置の少なくとも一つの位置で前記遊技機本体にロック可能なロック手段とを備えた遊技機において、
前記ロック手段のアンロックを検出可能なアンロック検出手段と、
前記アンロック検出手段が前記ロック手段のアンロックを検出した場合にエラー報知可能なエラー報知手段とを備えた
ことを特徴とする遊技機。
【請求項２】
前記ロック手段はアンロック状態に保持可能であり、
前記可動体が前記一つの位置にあっても、前記ロック手段がアンロック状態の場合には前記アンロック検出手段が前記ロック手段のアンロックを検出する
ことを特徴とする請求項１に記載の遊技機。
【請求項３】
前記ロック手段は前記可動体が前記一つの位置にない場合にロック状態にならない
ことを特徴とする請求項１又は２に記載の遊技機。
【請求項４】
前記ロック手段は外部から操作可能である
ことを特徴とする請求項１〜３の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
近年、パチンコ機、スロットマシン等の遊技機では、遊技者の目を引くことを目的として、遊技機本体の前面側の上部等の適当箇所に演出表示手段等の大型の可動体を設ける傾向にある（特許文献１）。この遊技機は、異なる向きの第１表示部と第２表示部とを有する可動体を遊技機本体の前側上部に横軸廻りに回動可能に枢支すると共に、可動体を横軸廻りに駆動するモータ等の回転駆動手段を設け、回転駆動手段の駆動により、第１表示部が前向きとなる第１位置と、第２表示部が前向きとなる第２位置とに可動体を駆動するようになっている。
この可動体は、第１位置では遊技機本体の上端から上側に突出し、第２位置では遊技機本体の前端から前側に突出した状態となる。そのためパッキンケースに梱包して運搬する際、遊技島に設置する際等には、可動体は第１位置又は第２位置の突出位置から、遊技機本体の正面視及び／又は平面視の投影領域内に収まる第３位置へと横軸廻りに回動させて格納する。
【先行技術文献】
【特許文献】
【０００３】
【特許文献１】特願２０１６−０９８０１４号（図５１、図５２）
【発明の概要】
【発明が解決しようとする課題】
【０００４】
この遊技機では、回転駆動手段の駆動により可動体が第１位置から第３位置の間で横軸廻りに回動するため、運搬時、設置時等に可動体を第１位置又は第２位置から第３位置へと回動させて格納する場合に、その都度、電源を接続する必要があり、可動体の格納作業が煩わしくなる。
そこで、回転駆動手段を使用せずに可動体を手動により容易に回動操作できるようにしておき、第１位置、第２位置では可動体を位置決め保持手段により保持する一方、ロック状態とアンロック状態とに切換可能な簡単なロック手段を設けて、可動体を手動操作により第１位置又は第２位置へと回動させた後、ロック手段により第１位置又は第２位置の可動体を回動不能にロックすることが考えられている。
このようにすれば、ロック手段をアンロック状態にすることにより、電源の有無に関係なく可動体を必要に応じて第１位置と第３位置との間で容易に回動させることができる。しかし、可動体の回動、ロック手段のロック・アンロックの全てを手動操作により行うため、可動体を横軸廻りに回動させて第１位置又は第２位置に戻した後に、第１位置又は第２位置の可動体をロックし忘れるという問題が想定される。
本発明は、このような問題点に鑑み、ロック手段をアンロックした時点でそれをエラー報知できる遊技機を提供することを目的とする。
【課題を解決するための手段】
【０００５】
本発明は、遊技機本体と、前記遊技機本体に複数の位置に変位可能に設けられた可動体と、前記可動体を前記複数の位置の少なくとも一つの位置で前記遊技機本体にロック可能なロック手段とを備えた遊技機において、前記ロック手段のアンロックを検出可能なアンロック検出手段と、前記アンロック検出手段が前記ロック手段のアンロックを検出した場合にエラー報知可能なエラー報知手段とを備えたものである。
前記ロック手段はアンロック状態に保持可能であり、前記可動体が前記一つの位置にあっても、前記ロック手段がアンロック状態の場合には前記アンロック検出手段が前記ロック手段のアンロックを検出するようにしてもよい。前記ロック手段は前記可動体が前記一つの位置にない場合にロック状態にならないようにしてもよい。前記ロック手段は外部から操作可能であることが望ましい。
【発明の効果】
【０００６】
本発明によれば、ロック手段をアンロックした時点でそれをエラー報知できる利点がある。
【図面の簡単な説明】
【０００７】
【図１】本発明の第１の実施形態を示すパチンコ機用の遊技島の正面図である。
【図２】同パチンコ機用の遊技島の側面図である。
【図３】同パチンコ機の正面図である。
【図４】同パチンコ機の側面図である。
【図５】同外枠、前枠の分解斜視図である。
【図６】同前扉の背面斜視図である。
【図７】同前扉の背面図である。
【図８】同前扉の分解斜視図である。
【図９】同前扉の概略平面図である。
【図１０】同要部の平面断面図である。
【図１１】同要部の側面断面図である。
【図１２】同要部の側面断面図である。
【図１３】同要部の正面断面図である。
【図１４】同要部の動作説明図である。
【図１５】同要部の動作説明図である。
【図１６】同制御系のブロック図である。
【図１７】本発明の第２の実施形態を示すパチンコ機の側面図である。
【図１８】同要部の側面断面図である。
【図１９】本発明の第３の実施形態を示す要部の側面断面図である。
【図２０】同要部の平面断面図である。
【図２１】本発明の第４の実施形態を示す要部の側面断面図である。
【図２２】本発明の第５の実施形態を示す要部の平面断面図である。
【図２３】本発明の第６の実施形態を示すパチンコ機の正面図である。
【図２４】同要部の平面図である。
【図２５】同パチンコ機の側面図である。
【図２６】同要部の平面断面図である。
【図２７】同要部の側面断面図である。
【図２８】同要部の正面断面図である。
【図２９】同要部の動作説明図である。
【図３０】本発明の第７の実施形態を示すパチンコ機の正面図である。
【図３１】同パチンコ機の平面図である。
【図３２】同パチンコ機の側面図である。
【図３３】同要部の正面断面図である。
【図３４】同要部の側面断面図である。
【図３５】本発明の第８の実施形態を示すスロットマシンの正面図である。
【図３６】同スロットマシンの平面図である。
【図３７】同スロットマシンの要部の一部破断平面図である。
【図３８】本発明の第９の実施形態を示すパチンコ機の概略正面図である。
【図３９】同要部の側面断面図である。
【図４０】同要部の正面図である。
【図４１】同ブロック図である。
【図４２】同第２状態〜第４状態の説明図である。
【図４３】同エラー報知のタイムチャートである。
【図４４】同発光演出手段とロック手段との関係を示す表である。
【図４５】同フローチャートである。
【図４６】本発明の第１０の実施形態を示すフローチャートである。
【発明を実施するための最良の形態】
【０００８】
以下、本発明の実施形態を図面に基づいて詳述する。図１〜図１６は本発明をパチンコ機に採用した第１の実施形態を例示している。遊技ホールでは、図１、図２に示すように、遊技島１の両側に多数のパチンコ機２が球貸し機３を挟んで交互に設置されている。遊技島１内には、各パチンコ機２との間で遊技球を循環させる球循環機（図示省略）が設けられ、また遊技島１の上部には、パチンコ機２の上側に球循環機点検用の開閉扉４が設けられている。開閉扉４は上側を支点に前後方向に開閉可能である。各パチンコ機２の手前側には椅子５が配置されている。
【０００９】
パチンコ機２は、図３〜図５に示すように、遊技島１に固定される矩形状の外枠７と、この外枠７の前側に配置される前枠８とを備え、その前枠８の前側に前扉９が開閉自在に配置されている。なお、外枠７、前枠８、前扉９により遊技機本体１０が構成されている。
【００１０】
前枠８は、第１ヒンジ１２を介して外枠７に開閉及び着脱自在に枢着され、前扉９は、第２ヒンジ１３を介して前枠８に開閉及び着脱自在に枢着されており、これら前枠８及び前扉９はヒンジ１２，１３と反対側の施錠手段１４によって外枠７、前枠８に対して閉状態で施錠可能となっている。
【００１１】
外枠７は、左右一対の縦枠材１５と、この縦枠材１５の上端間を左右に連結する上横枠材１６と、縦枠材１５の下端間を左右に連結する下横枠材１７と、下横枠材１７の前側に前向きに配置され且つ左右の縦枠材１５を連結する飾り部材１８とにより矩形状に形成されている。
【００１２】
前枠８には、上部側に遊技盤装着部１９が、その下側に下部装着部２１が夫々設けられており、その遊技盤装着部１９に遊技盤２０が着脱自在に装着され、また下部装着部２１に発射手段２２、下スピーカ２３等が装着されている。
【００１３】
遊技盤２０には、図３に示すように、発射手段２２（図５参照）によって発射された遊技球を遊技領域２５の上部側へと案内するガイドレール２６が環状に装着され、また遊技領域２５の中央部には液晶式等の画像表示手段２４と、この画像表示手段２４の前側に対応するセンターケース２８とが遊技盤２０の前後両側に配置されている。
【００１４】
遊技領域２５には、センターケース２８の周辺に普通図柄始動手段２９、特別図柄始動手段３０、可変入賞手段３１、普通入賞手段３２等の各種遊技部品が配置されている。
【００１５】
センターケース２８には、画像表示手段２４の表示画面に対応する表示窓３３が設けられる他、その表示窓３３の外周側の前面に普通図柄表示手段３４、特別図柄表示手段３５等が設けられている。画像表示手段２４は、演出図柄表示手段３８、操作誘導表示手段３６、エラー報知手段３７等を構成している。
【００１６】
普通図柄表示手段３４は普通図柄を変動表示するためのもので、例えば「○」「×」の２種類の普通図柄に対応する２個のＬＥＤ等の発光体により構成されており、普通図柄始動手段２９が遊技球を検出することを条件にそれら２つの発光体が所定時間交互に点滅して、普通図柄始動手段２９による遊技球の検出時に取得された当たり判定乱数値が予め定められた当たり判定値と一致する場合に当たり態様に対応する「○」側の発光体が発光した状態で、それ以外の場合に外れ態様に対応する「×」側の発光体が発光した状態で、夫々点滅が終了するようになっている。
【００１７】
特別図柄始動手段３０は、特別図柄表示手段３５による図柄変動を開始させるためのもので、上始動入賞手段３０ａと下始動入賞手段３０ｂとを上下に備えている。上始動入賞手段３０ａは非開閉式である。下始動入賞手段３０ｂは、遊技球が入球不可能（又は入球困難）な閉状態と入球可能（又は入球容易）な開状態とに切り換え可能な開閉式であり、普通図柄表示手段３４の変動後の停止図柄が当たり態様となって普通利益状態が発生したときに、閉状態から開状態へと所定時間開放するようになっている。
【００１８】
特別図柄表示手段３５は、１個又は複数個、例えば１個の特別図柄を変動表示可能な７セグメント式等の表示手段により構成されており、特別図柄始動手段３０の上始動入賞手段３０ａ又は下始動入賞手段３０ｂに遊技球が入賞することを条件に特別図柄を所定時間変動表示して、始動入賞手段３０ａ，３０ｂへの入賞時に取得した大当たり判定乱数値が予め定められた大当たり判定値と一致する場合には特別図柄が所定の大当たり態様（特定態様）で、それ以外の場合には外れ態様で停止する。
【００１９】
演出図柄表示手段３８は、特別図柄表示手段３５による特別図柄の変動表示と並行して演出図柄を変動表示するもので、１個又は複数個（例えば左右方向に３個）の演出図柄３８ａ〜３８ｃを各種の演出画像と共に画像表示手段２４の表示画面に変動表示可能に構成されている。
【００２０】
この演出図柄表示手段３８は、特別図柄始動手段３０の始動入賞手段３０ａ，３０ｂの何れかに遊技球が入賞した場合に、特別図柄の変動開始と同時に複数種類の変動パターンの何れかに従って演出図柄３８ａ〜３８ｃが変動を開始して、特別図柄の停止と同時に演出図柄３８ａ〜３８ｃが最終停止する。なお、演出図柄３８ａ〜３８ｃは特別図柄が外れ態様で停止する場合には外れ演出態様で停止し、特別図柄が大当たり態様で停止する場合には大当たり演出態様で停止する。
【００２１】
エラー報知手段３７は、エラーが発生した場合に文字その他の報知画像によりエラー報知をするためのものである。このエラー報知手段３７には、遊技中に前扉９を開放する等の重大なエラーを報知する第１エラー報知部３７ａと、軽微なエラーを報知する第２エラー報知部３７ｂとがある。
【００２２】
可変入賞手段３１は、遊技球が入賞可能な開状態と入賞不可能な閉状態とに切り換え可能な開閉部材３１ａを備えた開閉式であって、特別図柄表示手段３５の変動後の特別図柄が大当たり態様となって特別利益状態が発生したときに、開閉部材３１ａが所定の開放パターンに従って前側に開放して、その上に落下した遊技球を内部へと入賞させるようになっている。
【００２３】
前扉９は、図６〜図８に示すように、前枠８の前面側に対応して矩形状に形成された合成樹脂製の扉ベース３９を備えている。扉ベース３９には、遊技領域２５を視認可能な視認窓４０と、その視認窓４０の上下左右に配置された上部スピーカ４１，４２及び下部スピーカ４３，４４と、視認窓４０の上側から左右両側に配置された左右一対の第１側部ユニット４５及び第２側部ユニット４６と、視認窓４０の下側で前側へと張り出す前張り出しユニット（皿ユニット）４７とが設けられている。
【００２４】
扉ベース３９の上部には、この扉ベース３９から前側に突出する左右一対のスピーカ装着部４８，４９が一体に形成され、そのスピーカ装着部４８，４９に後側から上部スピーカ４１，４２が着脱自在に収容されている。扉ベース３９の裏側には、視認窓４０を取り囲むように補強板５０が装着されている。
【００２５】
視認窓４０は遊技領域２５に対応して扉ベース３９に設けられており、扉ベース３９の裏側に着脱自在に装着されたガラスユニット５１により塞がれている。ガラスユニット５１は、遊技領域２５を透視可能な前後２枚のガラス板５２と、この前後２枚のガラス板５２の外側を保持する保持枠５３とを備え、係合手段（図示省略）を介して受け枠５４上に載置され、上部側が左右一対の固定手段５５により扉ベース３９の裏側に着脱自在に固定されている。
【００２６】
前張り出しユニット４７は、図６、図８に示すように、中央部が前側に突出する平面視略三角形状であって、この前張り出しユニット４７には、操作演出用の演出操作ボタン５６と、発射用の遊技球を貯留する上皿（発射球貯留部）５７と、余剰球を貯留する下皿（余剰球貯留部）５８とが設けられ、また演出操作ボタン５６に対して上皿５７、下皿５８と反対側に発射操作用の発射ハンドル５９が設けられている。
【００２７】
なお、前扉９は、視認窓４０及びガラスユニット５１等を備えた上部側のガラス扉と、上皿５７、下皿５８、演出操作ボタン５６及び発射ハンドル５９等を備えた下部側の開閉扉４とに二分割して、ガラス扉と開閉扉４とが別々に開閉するように構成することも可能である。
【００２８】
第１側部ユニット４５は、図３、図８に示すように、複数種類のパチンコ機２に共通に使用される共通部品であり、演出操作ボタン５６の近傍から視認窓４０に対してヒンジ１２，１３側の下部スピーカ４３と上部スピーカ４１とに跨がって設けられており、扉ベース３９の前側に第１側部カバー６０が着脱自在に装着されている。
【００２９】
この第１側部ユニット４５には発光演出手段６１が設けられている。発光演出手段６１は、多数のＬＥＤ６２ａが装着されたＬＥＤ基板６２を第１側部カバー６０の内部に備え、そのＬＥＤ６２ａからの光により第１側部カバー６０の前面側を発光させるようになっている。
【００３０】
第２側部ユニット４６は、特定の機種のパチンコ機２に特有のデザイン等を施したものであって、図３、図８に示すように、視認窓４０に対して第１側部ユニット４５の反対側から視認窓４０の上側に跨がって正面視逆Ｌ字状に構成されており、種類の異なる係止手段６３と締結手段６４とを介して扉ベース３９の前面側に着脱自在に固定されている。係止手段６３、締結手段６４は適当な間隔で分散して複数配置されている。なお、第２側部ユニット４６の扉ベース３９に対する取り付けは、係止手段６３、締結手段６４以外のものでもよい。
【００３１】
この第２側部ユニット４６は、図４、図９〜図１３に示すように、ユニット枠６６と、このユニット枠６６を裏側から補強する板金製の補強板６７と、ユニット枠６６の前側で視認窓４０に対して第１側部ユニット４５の反対側に配置された第１発光演出手段６８と、ユニット枠６６の前側で視認窓４０の上側の上部スピーカ４１，４２間に配置された第２発光演出手段６９とを含む側部ユニット本体４６Ａを備え、側部ユニット本体４６Ａのヒンジ１２，１３と反対側の上隅部の上部スピーカ４２の近傍に第３発光演出手段７０が前後方向の枢軸７１廻りに変位可能に設けられている。
【００３２】
第２側部ユニット４６には、第２発光演出手段６９と第３発光演出手段７０とを備えた構成のものの他に、第３発光演出手段７０のないもの、第２発光演出手段６９及び／又は第３発光演出手段７０のデザイン、その他の構成が異なるもの等、製造すべきパチンコ機２の機種に応じて複数種類のものがある。そして、或る機種のパチンコ機２を製造する場合には、第１側部ユニット４５を共通に使用して、これに特定種類の第２側部ユニット４６を組み合わせて、前扉９の視認窓４０の周辺部分を構成する。
【００３３】
このように構成すれば、第１側部ユニット４５を共通に使用しながらも、第２側部ユニット４６のデザイン、その他の構成を変えることによって、異なる機種のパチンコ機２を容易且つ安価に製造することができる。
【００３４】
なお、扉ベース３９側は複数の機種に共通している。そのため第１側部ユニット４５、第２側部ユニット４６の何れにおいても、効果音発生用の上部スピーカ４１，４２、下部スピーカ４３，４４等のように、複数のパチンコ機２に共通して必要な電子部品は扉ベース３９側に装着して、特定の機種に特有の電子部品は第１側部ユニット４５及び第２側部ユニット４６、又は第２側部ユニット４６に組み込まれている。
【００３５】
第２側部ユニット４６の第１発光演出手段（側部発光演出ユニット）６８、第２発光演出手段（上部発光演出ユニット）６９、第３発光演出手段（上部突出発光演出ユニット）７０は、次のように構成されている。即ち、第１発光演出手段６８は、発光演出手段６１と同様に、発光演出用の多数のＬＥＤ７２ａが装着されたＬＥＤ基板７２と、このＬＥＤ基板７２の前側に配置された第２側部カバー７４とを有する。
【００３６】
第２発光演出手段６９は、図９に示すように上部カバー７５と、この上部カバー７５の前側に横長状に配置された上部表示部７６とを備えている。上部カバー７５は第２側部カバー７４と一体又は別体であり、第２側部カバー７４の上部側に連続状に設けられている。上部表示部７６は機種名等を表示する表示板７７と、多数のＬＥＤ７８を有し且つ表示板７７の背後に配置されたＬＥＤ基板７９とを備えている。なお、この上部表示部７６は機種名の表示専用のものでもよいし、その他のものでもよい。また第２発光演出手段６９は演出専用のものでもよい。
【００３７】
第３発光演出手段７０は上部突出発光演出ユニットである可動体（可動式サイドユニット）を構成するもので、図３、図１０〜図１３に示すように、側部ユニット本体４６Ａの第１発光演出手段６８の上部に前後方向の枢軸７１廻りに回動自在に枢支され、枢軸７１から上向きに起立して上方に突出する第１位置（起立位置、初期位置）Ａと、枢軸７１から第２発光演出手段６９の前側に沿ってヒンジ１２，１３側へと横向きに倒伏する第２位置（倒伏位置、格納位置）Ｂとに変位可能である。
【００３８】
この第３発光演出手段７０は、第１位置Ａでは遊技島１の開閉扉４の前側に突出し、また第２位置Ｂでは開閉扉４よりも下側で遊技領域２５よりも上側に格納される。従って、第３発光演出手段７０を第２位置Ｂに倒伏させることにより、開閉扉４を前側に開放することが可能である。また第３発光演出手段７０が第２位置Ｂにあっても、遊技領域２５を大きく遮ることがないので、遊技者は遊技を継続することが可能である。
【００３９】
この第３発光演出手段７０は、支持板８１と、支持板８１を裏側から補強する板金製の補強板８２と、支持板８１の前側に装着された前カバー８３とを備えている。前カバー８３の前面側には、遊技者の遊技遂行を鼓舞するメッセージ等を表示する第１表示部８４と、特別利益状態での遊技回数等を表示する第２表示部８５と、各表示部８４，８５を除く領域に配置された発光表示部８６とが設けられ、また前カバー８３の内部に中継基板８８が設けられている。
【００４０】
第１表示部８４、第２表示部８５、発光表示部８６は、ハーネス（図示省略）を介して中継基板８８に接続されており、また中継基板８８はコネクタ８９、ハーネス９０、コネクタ９１を介して第１発光演出手段６８のＬＥＤ基板７２に接続され、ＬＥＤ基板７２上の配線路等を介して後述の演出制御基板１２８等に接続されている。
【００４１】
第１表示部８４はメッセージ等を表示するように縦長状に設けられている。第２表示部８５は７セグメント式の表示ユニット等により構成されている。発光表示部８６は多数のＬＥＤ９３を有するＬＥＤ基板９４を前カバー８３の内部に備え、そのＬＥＤ９３からの光により前カバー８３の前面が発光するようになっている。
【００４２】
第３発光演出手段７０を枢支する枢軸７１は、図１０、図１１、図１３に示すように、第１発光演出手段６８側の取り付け台９５に固定された固定筒軸９６と、第３発光演出手段７０の支持板８１に一体又は別体に設けられ且つ筒状の固定筒軸９６に回動自在に套嵌された回動軸受９７とにより構成されている。固定筒軸９６は鍔部９６ａが取り付け台９５の前面部９５ａの裏側に固定されている。
【００４３】
また第３発光演出手段７０と取り付け台９５との間には、図１０〜図１３に示すように、第３発光演出手段７０の回動範囲を第１位置Ａと第２位置Ｂとに規制し且つ各位置Ａ，Ｂで第３発光演出手段７０を安定的に保持可能に構成された規制手段９９と、第３発光演出手段７０を第１位置Ａで回動しないようにロック（固定）し且つ第１位置Ａ、第２位置Ｂに回動するようにアンロック（固定解除又はロック解除）可能に構成されたロック手段１００と、ロック手段１００のアンロック状態を検出するアンロック検出手段１０１とが設けられている。取り付け台９５は、ユニット枠６６の切り欠き部１０２で補強板６７に固定されている。
【００４４】
なお、ロック手段１００による第３発光演出手段７０のロックとは、第３発光演出手段７０を動かないように固定すること、第３発光演出手段７０の動きの一部を制限すること、第３発光演出手段７０の位置を変更できない状態にすることを包含する意味であり、アンロックとは、そのロック状態を非ロック状態にすることを意味するものである。
【００４５】
従って、第３発光演出手段７０のロック状態は、第３発光演出手段７０を完全に固定した状態は勿論のこと、第３発光演出手段７０に許容される遊び以上の動きが制限された状態、更には第３発光演出手段７０が他の位置に移動できない状態の全てを含む概念である。そのため、第３発光演出手段７０の固定も許容範囲内での遊びを含むものであって、第３発光演出手段７０が微動だにしない状態に限定されるものではなく、第３発光演出手段７０のロックと略同義でる。以下において第３発光演出手段７０に関するロック、固定、アンロックは同義である。
【００４６】
また他の部材に関する固定については、その部材相互が効果を奏する状態で結合関係にあることを意味するものであり、動きのない状態で完全に結合関係にあることを意味する場合もあれば、許容範囲内の遊び、ガタツキを含む状態での結合関係にあることを意味する場合もある。従って、他の部材に関する固定の概念は、部材相互が効果を奏するか否かに基づいて判断されるものである。
【００４７】
例えば第１関節と第２関節とを有する構造物において、第１関節を固定する場合は、第１関節がその機能を阻止する程度に拘束されている状態であるのか、全く動かない状態であるのかは、第１関節の機能と、それを固定することの技術的意義を考慮して決定する必要がある。勿論、第１関節の固定は、第２関節が固定状態か否かとは別である。
【００４８】
規制手段９９は、取り付け台９５の前面部９５ａに枢軸７１廻りに円弧状に形成された長孔１０３と、支持板８１又は補強板８２に一体又は別体に固定され且つ長孔１０３に摺動自在に挿通された規制突起１０４とを備えている。規制突起１０４は円柱状その他の突起状であって、抜け止め兼用の取り付けネジ１０５により取り付けられている。
【００４９】
第１位置Ａでの第３発光演出手段７０は、開閉扉４の前側で枢軸７１から上向きに起立しており、またその起立状態で第３発光演出手段７０の重心は、枢軸７１の軸中心を通る鉛直線に対してヒンジ１２，１３と反対側、即ち第３発光演出手段７０の倒伏側とは反対側に設定されている。従って、第１位置Ａの第３発光演出手段７０は、起立状態で安定的に保持可能である。また第２位置Ｂでの第３発光演出手段７０の重心は、枢軸７１の鉛直線上よりもヒンジ１２，１３側にあり、倒伏状態で安定的に保持可能である。
【００５０】
ロック手段１００はキー等を使用することなく直接ロック・アンロック操作可能な手動操作式であって、図１０〜図１３に示すように、側部ユニット本体４６Ａ側に設けられた係合部１０６と、この係合部１０６に対して前側から前後方向に係脱可能に第３発光演出手段７０側に設けられた係合具１０７と、第３発光演出手段７０の前面に摺動自在に配置された操作部１０８と、操作部１０８の操作により係合具１０７を前後方向に出退させる変換機構１０９とを備えている。なお、操作部１０８と変換機構１０９とにより操作手段が構成されている。
【００５１】
係合部１０６は、遊技機本体１０側の第２側部カバー７４又は取り付け台９５の前面部９５ａに設けられており、係合具１０７が前側から係脱可能になっている。なお、係合部１０６は係合具１０７の形状に対応する係合孔、係合凹部等により構成されている。係合具１０７はピン等により構成され、第３発光演出手段７０の補強板８２に形成された保持孔１１０に前後方向に摺動自在に挿通されている。
【００５２】
操作部１０８は第３発光演出手段７０の前カバー８３の前面部に形成された案内溝１１１を貫通して、前カバー８３の前面部の裏側に配置された摺動部１１２に一体又は別体に固定され、ロックＲ側とアンロックＵ側との間で摺動自在である。摺動部１１２は案内部材１１３により摺動自在に支持されている。摺動部１１２と案内部材１１３との間には適度な摩擦抵抗があり、その摩擦抵抗により操作部１０８がアンロックＵ側で停止するようになっている。従って、ロック手段１００はアンロック状態に保持可能である。案内部材１１３はネジ等で前カバー８３に固定されている。
【００５３】
変換機構１０９は、摺動部１１２に設けられたカム部１１４と、係合具１０７に設けられ且つカム部１１４に案内されるカム従動部１１５とを備えている。カム部１１４は摺動部１１２に固定された連動板１１６に前後方向に傾斜状に形成され、操作部１０８がロックＲ側のときに係合具１０７が後方へと移動して係合部１０６に係合し、操作部１０８がアンロックＵ側のときに係合具１０７が前方へと移動して係合部１０６から離脱するように、操作部１０８のロックＲ側とアンロックＵ側とに移動させることにより、カム従動部１１５を介して係合具１０７を前後方向に駆動するように構成されている。
【００５４】
アンロック検出手段１０１は、対向して配置された発光素子と受光素子とを含む検出部１１７と、連動板１１６に設けられ且つ検出部１１７の発光素子と受光素子との間に出退自在な被検出部１１８とを組み合わせて構成され、ロック手段１００が第３発光演出手段７０をロックした場合には、連動板１１６の被検出部１１８が検出部１１７の発光素子と受光素子との間に進入し遮光しており、ロック手段１００が第３発光演出手段７０をアンロックした場合には、被検出部１１８が検出部１１７の発光素子と受光素子との間から外れてロック手段１００のアンロックを検出するようになっている。
【００５５】
なお、被検出部１１８は操作部１０８から係合具１０７までの間の可動部位に設ければよい。またアンロック検出手段１０１は光学式以外の近接センサ類を設けてもよい。更にアンロック検出手段１０１は接触式でもよい。
【００５６】
第１表示部８４、第２表示部８５、ＬＥＤ基板９４、アンロック検出手段１０１等の第３発光演出手段７０側の電気的手段は、図外のハーネス等を介して中継基板８８に接続されている。中継基板８８は、図１１に示すように、コネクタ８９、ハーネス９０、コネクタ９１等を介して第１発光演出手段６８のＬＥＤ基板７２に接続されている。ハーネス９０は枢軸７１の固定筒軸９６内に挿通されている。補強板６７には、ハーネス９０をＬＥＤ基板７２の上端側のコネクタ９１に接続できるように作業用開口部１１９が設けられている。
【００５７】
第２側部カバー７４の前面には、第３発光演出手段７０の補強板８２との間隔を保持する間隔保持部９２が、規制手段９９、ロック手段１００等を外周から取り囲むように枢軸７１廻りに略同心状に形成されている。なお、間隔保持部９２は第３発光演出手段７０の裏面に形成してもよいし、第３発光演出手段７０と第２側部カバー７４との両方に形成してもよい。また間隔保持部９２は枢軸７１に対して同心状でなくてもよい。
【００５８】
図１６はパチンコ機２の制御系のブロック図である。図１６において、主制御基板１２０は遊技動作を統括的に制御するもので、ＣＰＵ，ＲＯＭ，ＲＡＭ等により構成される普通図柄処理手段１２１、普通利益状態発生手段１２２、特別図柄処理手段１２３、特別利益状態発生手段１２４、入賞処理手段１２５、第１エラー監視手段１２６、制御コマンド送信手段１２７等を備えている。
【００５９】
主制御基板１２０には、演出制御基板１２８等の副制御基板が接続され、また普通図柄表示手段３４、特別図柄表示手段３５等の表示手段、普通図柄始動手段２９、特別図柄始動手段３０、可変入賞手段３１、普通入賞手段３２、扉開放検出手段１３１等が接続されている。
【００６０】
普通図柄処理手段１２１は普通図柄表示手段３４の普通図柄の変動表示処理を行うもので、普通図柄始動手段２９が遊技球の通過を検出することに基づいて、当たり判定用の普通乱数情報を取得して、その取得乱数値が予め定められた当たり判定値と一致するか否かに応じて当たり／外れの判定を行い、普通図柄が所定時間変動した後に判定結果に応じた停止図柄で停止するように制御する。
【００６１】
普通利益状態発生手段１２２は遊技者に有利となる普通利益状態を発生させるもので、普通図柄処理手段１２１の当たりの判定結果に基づいて普通図柄表示手段３４の変動後の停止図柄が当たり態様となった場合に、特別図柄始動手段３０の下始動入賞手段３０ｂを複数種類の開閉パターンの何れかに従って開状態に変化させるようになっている。
【００６２】
特別図柄処理手段１２３は特別図柄表示手段３５の特別図柄の変動表示処理を行うもので、特別図柄始動手段３０の上始動入賞手段３０ａ、下始動入賞手段３０ｂの何れかが遊技球の入賞を検出することに基づいて、大当たり判定用の特別乱数情報を取得して、その取得乱数値が予め定められた大当たり判定値と一致するか否かに応じて大当たり／外れの判定を行い、特別図柄が所定時間変動した後に判定結果に応じた停止図柄で停止するように制御する。なお、特別図柄始動手段３０の遊技球の検出は、上限保留個数（例えば４個）を限度として保留可能である。
【００６３】
特別利益状態発生手段１２４は遊技者に有利となる特別利益状態を発生させるもので、特別図柄処理手段１２３の大当たり判定に基づいて特別図柄表示手段３５の変動後の停止図柄が大当たり態様となった場合に、所定の開放パターンに従って可変入賞手段３１の開閉部材３１ａを開閉する特別利益状態を発生させるようになっている。入賞処理手段１２５は、特別図柄始動手段３０、可変入賞手段３１、普通入賞手段３２への遊技球の入賞に応じて賞球の払い出し処理を行うものである。
【００６４】
第１エラー監視手段１２６は、遊技中に扉開放検出手段１３１が前扉９の開放を検出する等、遊技自体に重大な影響を与える恐れのある不正行為の有無を監視するものであり、監視対象別に不正行為の有無を常時監視しており、特定の監視対象に不正行為が発生すれば、その特定の監視対象に不正行為が発生した旨の第１エラー判定をし、また監視対象別に予め決められた解除条件が成立したときにその第１エラー判定を解除する。
【００６５】
制御コマンド送信手段１２７は、演出制御基板１２８等の副制御基板に対して制御コマンドを送信するもので、特別図柄処理手段１２３の特別図柄処理に基づいて特別図柄に関連する制御コマンド、特別利益状態発生手段１２４の発生に関連する所定の演出コマンド、第１エラー監視手段１２６の第１エラー判定に基づいて第１エラーコマンド等を夫々演出制御基板１２８へと送信するようになっている。
【００６６】
演出制御基板１２８は画像表示手段２４、スピーカ２３，４１〜４４、発光演出手段６１，６８〜７０を含む各種演出手段を制御するためのものである。この演出制御基板１２８には、演出図柄表示手段３８を制御する演出図柄制御手段１２９と、第３発光演出手段７０を制御する発光演出制御手段１３０と、ロック手段１００のアンロックを監視する第２エラー監視手段１３２と、エラー報知手段３７の第１エラー報知部３７ａ、第２エラー報知部３７ｂのエラー報知を制御するエラー報知制御手段１３３とが設けられている。
【００６７】
演出図柄制御手段１２９は演出図柄表示手段３８の演出図柄３８ａ〜３８ｃの変動を制御するもので、主制御基板１２０からの制御コマンドに基づいて、特別図柄表示手段３５の特別図柄と同期して、演出図柄表示手段３８の演出図柄３８ａ〜３８ｃが所定の変動パターンで所定時間変動し所定の停止図柄で停止するように制御する。発光演出制御手段１３０は主制御基板１２０からの特別利益状態に関連する演出コマンドに基づいて第３発光演出手段７０の第１表示部８４、第２表示部８５、発光表示部８６を制御する。
【００６８】
第２エラー監視手段１３２は、アンロック検出手段１０１からの検出信号に基づいてロック手段１００がアンロック状態か否かを常時監視するものであり、アンロック検出手段１０１がロック手段１００のアンロック状態を検出したときに、その検出信号に基づいてロック手段１００がアンロック状態である旨の第２エラー判定を行う第２エラー判定部１３２ａと、所定の第２エラー解除条件が成立したときに第２エラー判定部１３２ａの第２エラー判定を解除する第２エラー解除部１３２ｂとを備えている。
【００６９】
第２エラー解除部１３２ｂには第２エラー解除条件として所定のエラー解除時間（例えば３分）が定められており、第２エラー判定部１３２ａの第２エラー判定から時間を計時し、第２エラー判定から所定のエラー解除時間が経過したときに第２エラー判定を解除する。なお、第２エラー判定部１３２ａは、ロック手段１００がロック状態に戻ればアンロック検出手段１０１からの信号により第２エラー判定を終了する。
【００７０】
エラー報知制御手段１３３はエラー報知手段３７の第１エラー報知部３７ａに表示される「扉開放エラー」等の第１エラー報知画像を制御する第１エラー報知制御部１３３ａと、第２エラー報知部３７ｂに表示される「アンロックエラー」等の第２エラー報知画像を制御する第２エラー報知制御部１３３ｂとを有する。
【００７１】
第１エラー報知制御部１３３ａは、第１エラー監視手段１２６が扉開放エラー等の第１エラー判定をした場合に、その時点で第１エラー報知部３７ａに「扉開放エラー」等の第１エラー報知画像を表示させ、第１エラー監視手段１２６の第１エラー判定が解除された場合に、その「扉開放エラー」等の第１エラー報知画像の表示を終了させるように制御する。なお、第１エラー報知部３７ａに表示される第１エラー報知画像は、「扉開放エラー」の文字画像以外の画像でもよい。
【００７２】
第２エラー報知制御部１３３ｂは、ロック手段１００がアンロックエラー状態である旨の第２エラー判定を第２エラー監視手段１３２がした場合に、その時点で第２エラー報知部３７ｂに「アンロックエラー」の第２エラー報知画像を表示させ、第２エラー解除部１３２ｂが第２エラー解除条件の成立（所定のエラー解除時間の経過）を判定した場合に、その「アンロックエラー」の第２エラー報知画像の表示を終了させるように制御する。なお、第２エラー報知部３７ｂに表示される第２エラー報知画像は、「アンロックエラー」の文字画像以外の画像でもよい。
【００７３】
このパチンコ機２では、第３発光演出手段７０を第１位置Ａにロックするロック手段１００を備えているが、ロック手段１００は手動式とし、必要に応じて任意に第３発光演出手段７０を第１位置Ａと第２位置Ｂとの間で起伏操作可能にして利便性の向上を図る一方、第１位置Ａではロック手段１００により第３発光演出手段７０をロックできるようにしている。
【００７４】
即ち、第３発光演出手段７０は第１位置Ａの起立状態、第２位置Ｂの倒伏状態の何れの場合にも、規制手段９９の規制により安定的に停止可能である。例えば、第３発光演出手段７０が第１位置Ａで起立状態にある場合には、第３発光演出手段７０の重心が枢軸７１の軸中心よりも右側に位置するため、第３発光演出手段７０は枢軸７１と規制手段９９とにより支持された状態で安定的に起立する。
【００７５】
しかし、第３発光演出手段７０を第１位置Ａに起立させた場合には、通常、図１０、図１２に示す如く、第３発光演出手段７０が第２位置Ｂへと不測に倒伏しないように、ロック手段１００により第３発光演出手段７０を第１位置Ａにロックしておく。
【００７６】
このロック手段１００により第３発光演出手段７０をロックする場合には、操作部１０８をアンロックＵ側からロックＲ側へと図１４のＸ１矢示方向に操作すると、変換機構１０９を介して係合具１０７が図１４のＹ１矢示方向に移動して図１２に示すように係合部１０６に係合し、第３発光演出手段７０をロックすることができる。一方、ロック手段１００が第３発光演出手段７０をロックすると、被検出部１１８が図１２に示すように検出部１１７に進入するため、検出部１１７は発光素子からの光を受光素子で受光しない状態となる。
【００７７】
遊技島１内に設置された球循環機を点検する場合には、第３発光演出手段７０が第１位置Ａに起立した状態のままでは開閉扉４を開放できないので、ロック手段１００をアンロックした後、第３発光演出手段７０を図３に二点鎖線で示すように、枢軸７１廻りに第１位置Ａの起立状態から第２位置Ｂの倒伏状態へと倒す。
【００７８】
ロック手段１００をアンロックする場合には、操作部１０８をロックＲ側からアンロックＵ側へと図１５のＸ２方向に操作する。すると変換機構１０９を介して係合具１０７がＹ２矢示方向へと移動して係合部１０６から離脱するため、第３発光演出手段７０は枢軸７１廻りに回動可能になる。
【００７９】
一方、ロック手段１００の操作部１０８をアンロックＵ側へと図１５のＸ２方向に操作すると、ロック手段１００のアンロック動作に連動して連動板１１６の被検出部１１８が図１５に示すように検出部１１７から外れるため、アンロック検出手段１０１がロック手段１００のアンロックを検出する。
【００８０】
なお、この実施形態では、図１５に示すように、ロック手段１００がアンロック状態になるよりも前にアンロック検出手段１０１の被検出部１１８が検出部１１７から外れて、ロック手段１００がアンロック状態になるのに先行してアンロック検出手段１０１がロック手段１００のアンロックを検出するようにしている。しかし、アンロック検出手段１０１はロック手段１００がアンロック状態になると略同時にそれを検出するか、又はロック手段１００がアンロック状態になった直後にそれを検出するようにしてもよい。
【００８１】
アンロック検出手段１０１がロック手段１００のアンロックを検出すると、第２エラー監視手段１３２が常時アンロックエラーの発生の有無を監視しているため、第２エラー監視手段１３２の第２エラー判定部１３２ａがアンロック状態である第２エラー判定をし、エラー報知制御手段１３３の第２エラー報知制御部１３３ｂの制御によりエラー報知手段３７の第２エラー報知部３７ｂが「アンロックエラー」等の第２エラー報知画像を表示して第２エラー報知を行う。
【００８２】
従って、画像表示手段２４の表示画像を見れば、第２エラー報知部３７ｂに表示される「アンロックエラー」の第２エラー報知画像により、ロック手段１００がアンロック状態にあることが判る。
【００８３】
第２エラー監視手段１３２の第２エラー判定部１３２ａが、ロック手段１００がアンロック状態である旨の第２エラー判定をすると、その時点から第２エラー解除部１３２ｂが第２エラー解除条件であるエラー解除時間（例えば３分）の計時を開始する。そして、エラー解除時間が経過すると、第２エラー解除部１３２ｂが第２エラー報知部３７ｂの「アンロックエラー」の第２エラー報知画像の表示を終了させる。
【００８４】
第３発光演出手段７０のロック手段１００は、遊技ホールの係員に限らず遊技者もアンロック操作可能であるため、遊技者が悪戯等でアンロック状態にすることもできる。従って、遊技者が悪戯等でロック手段１００をアンロック状態にして、第３発光演出手段７０を第１位置Ａから第２位置Ｂへと倒伏させるようなことをすれば、第３発光演出手段７０が第２位置Ｂにあることから、遊技者の悪戯等の事実が容易に判明する。
【００８５】
ロック手段１００をアンロック状態にしたままで第３発光演出手段７０が依然として第１位置Ａにある場合には、その第３発光演出手段７０の姿勢だけでは、ロック手段１００がアンロック状態にあるか否かを判断することはできない。しかし、ロック手段１００がアンロック状態であるか否かを第２エラー監視手段１３２が常時監視しているため、ロック手段１００をアンロック状態にすれば、その時点でアンロック検出手段１０１がアンロックを検出し、第２エラー監視手段１３２がアンロック状態である旨の第２エラー判定を行い、エラー報知手段３７の第２エラー報知部３７ｂが「アンロックエラー」の第２エラー報知画像を報知する。
【００８６】
従って、遊技ホールの係員等は、第３発光演出手段７０が第１位置Ａで起立状態であるにも拘わらず、エラー報知手段３７の第２エラー報知部３７ｂによる第２エラー報知により、ロック手段１００がアンロック状態にあることを把握することができる。
【００８７】
ロック手段１００を悪戯等でアンロック状態にしても、第２位置Ｂ側へと倒伏方向に外力を加えれば第３発光演出手段７０が倒伏する恐れがある。しかし、第３発光演出手段７０の配置箇所が遊技者等の接触し難い高い位置であり、しかもその位置で第３発光演出手段７０が第１位置Ａに安定的に支持されており、遊技の継続に何等支障のない軽微なエラーであるため、エラー報知手段３７の第２エラー報知部３７ｂに「アンロックエラー」の第２エラー報知画像が表示されるだけで、主制御基板１２０の制御により遊技動作は継続可能である。
【００８８】
そして、エラー報知手段３７の「アンロックエラー」の第２エラー報知に従って、遊技ホールの係員又は遊技者がロック手段１００の操作部１０８をロックＲ側に操作してロック手段１００をロック状態に戻せば、アンロック検出手段１０１がアンロック状態を検出しなくなるので、第２エラー監視手段１３２の第２エラー判定が終了し、エラー報知手段３７の「アンロックエラー」の第２エラー報知が終了する。
【００８９】
ロック手段１００は第３発光演出手段７０が第１位置Ａにある場合に、操作部１０８をアンロックＵ側からロックＲ側へと操作すれば、係合具１０７が係合部１０６に係合して第３発光演出手段７０をロックする。しかし、ロック手段１００の操作部１０８、係合具１０７が第３発光演出手段７０側にあり、係合部１０６が取り付け台９５側にあるため、第３発光演出手段７０が第１位置Ａ以外の位置にある場合には、係合具１０７と係合部１０６とが枢軸７１廻りの離れた位置にあるため、係合具１０７が取り付け台９５の前面側に直接又は第２側部カバー７４の前面側を介して間接的に当接するだけであって、係合具１０７が係合部１０６に係合することはない。そのためロック手段１００はロック不能である。
【００９０】
ロック手段１００をアンロック状態にした後、所定のエラー解除時間が経過すれば、エラー報知手段３７の第２エラー報知部３７ｂによる第２エラー報知が終了する。これはロック手段１００のアンロック自体が軽微なエラーであり、そのアンロック状態で遊技を継続しても問題がないか、又は問題となり難いためである。
【００９１】
第３発光演出手段７０は枢軸７１廻りに第１位置Ａと第２位置Ｂとに変化可能であり、運搬に際しての梱包時、遊技ホール内での遊技島１ヘの設置時には、第３発光演出手段７０はパチンコ機２の上端に沿う第２位置Ｂに倒伏して格納する。このような場合にも、ロック手段１００をアンロック状態にすることなく第３発光演出手段７０を容易に手動操作できるため、作業員は第３発光演出手段７０を第１位置Ａから第２位置Ｂ、第２位置Ｂから第１位置Ａへと容易に変位させることができる。
【００９２】
またロック手段１００のアンロックは、仮に遊技者が悪戯で行ったとしても軽微なエラーであり、遊技の継続等に対しては影響しない。そのためアンロック検出手段１０１は主制御基板１２０に接続せずに演出制御基板１２８に接続し、その演出制御基板１２８に第２エラー監視手段１３２を設けているので、主制御基板１２０側の負担を軽減することができる。
【００９３】
図１７、図１８は本発明の第２の実施形態を例示する。この実施形態では、第３発光演出手段７０が第１位置Ａにある場合に、係合具１０７が係合部１０６に自動的に係合する自動ロック式のロック手段１００を採用している。
【００９４】
ロック手段１００は、第３発光演出手段７０の側面に配置された操作部１０８と、第２側部カバー７４又は取り付け台９５に設けられた係合部１０６と、係合部１０６に係脱自在な係合具１０７と、操作部１０８の操作を係合具１０７の係脱動作に変換する変換機構１０９と、係合具１０７を係合方向に付勢する付勢手段１３６とを備え、係合具１０７、変換機構１０９及び付勢手段１３６は第３発光演出手段７０内に設けられている。
【００９５】
操作部１０８は摘まみ式であって、第３発光演出手段７０の側面で横方向の操作軸１３７に固定されており、操作軸１３７廻りにロックＲ側とアンロックＵ側との間で回動操作可能である。
【００９６】
変換機構１０９は、支持板８１に固定された取り付け板１３８と、この取り付け板１３８により回動自在に支持された操作軸１３７と、操作軸１３７に固定された連動アーム１３９とを備え、連動アーム１３９の先端側の長孔１３９ａに係合具１０７が摺動自在に連結されている。取り付け板１３８には、係合具１０７が係合部１０６に係合した状態において、連動アーム１３９を規制する規制部１４０が設けられている。
【００９７】
付勢手段１３６は引っ張りバネにより構成され、取り付け板１３８のバネ掛け部１４１と、連動アーム１３９のバネ掛け部１４２との間に掛けられている。なお、付勢手段１３６には、圧縮バネ、弦巻バネ等を使用してもよい。他の構成は第１の実施形態と同様である。
【００９８】
この実施形態においても、アンロック検出手段１０１は連動アーム１３９の被検出部１１８と、支持板８１に固定された光センサ等の検出部１１７とを備えており、ロック手段１００がアンロック状態になれば、このアンロック検出手段１０１からの検出信号に基づいてロック手段１００がアンロック状態である旨の第２エラー判定を演出制御基板１２８の第２エラー監視手段１３２がする。
【００９９】
一方、第３発光演出手段７０が第１位置Ａにある場合には、操作部１０８に対する操作力を解除すれば、付勢手段１３６の付勢力により、ロック手段１００が直ちにロック状態に復帰する。しかし、ロック手段１００がロック状態に復帰しても、ロック手段１００がアンロック状態である第２エラー判定から所定時間までの間は、エラー報知制御手段１３３の制御により、エラー報知手段３７の第２エラー報知部３７ｂが第２エラー報知を行い、所定時間の経過後に第２エラー報知を終了する。
【０１００】
このような構成のロック手段１００では、ロック手段１００が付勢手段１３６を備えているため、第３発光演出手段７０が第１位置Ａにあれば、付勢手段１３６の付勢により係合具１０７が係合部１０６に係合してロック状態にある。
【０１０１】
操作部１０８をロックＲ側からアンロックＵ側へとアンロック方向（Ｘ３方向）に操作すると、付勢手段１３６に抗して連動アーム１３９がＸ３方向に回動して、係合具１０７が係合部１０６から離脱して第３発光演出手段７０がアンロック状態になる。しかし、操作部１０８の操作力を解除すれば、付勢手段１３６により連動アーム１３９が反Ｘ３方向へと回動するため、係合具１０７が係合部１０６に係合してロック状態に戻る。従って、第３発光演出手段７０を第２位置Ｂへと回動させる場合には、係合具１０７が係合部１０６から離脱した状態で第３発光演出手段７０を枢軸７１廻りに回動させる必要がある。
【０１０２】
そして、ロック手段１００が第３発光演出手段７０をアンロックすれば、アンロック検出手段１０１がそのアンロック状態を検出するので、ロック手段１００がアンロック状態である第２エラー判定を第２エラー監視手段１３２が行い、エラー報知制御手段１３３がエラー報知手段３７を制御して「アンロックエラー」の第２エラー報知を行う。そして、一旦第２エラー監視手段１３２の第２エラー判定があれば、エラー報知制御手段１３３の報知制御により、エラー報知手段３７はその第２エラー判定から所定のエラー解除時間が経過するまで「アンロックエラー」の第２エラー報知を継続する。そのため遊技者が悪戯等でロック手段１００をアンロックしたような場合には、その後にロック手段１００がロック状態に復帰しているにも拘わらず、所定時間内の第２エラー報知により、遊技者の悪戯等の事実を把握することができる。
【０１０３】
図１９、図２０は本発明の第３の実施形態を例示する。この実施形態では、解除状態で保持可能な押し引き操作式のロック手段１００を備えている。このロック手段１００は、第２側部カバー７４又は取り付け台９５に設けられた係合部１０６と、この係合部１０６に係脱自在な係合具１０７と、この係合具１０７の前端に固定された操作部１０８と、係合具１０７を係合方向に付勢する付勢手段１３６と、係合具１０７を廻り止めする廻り止め機構１４５と、係合具１０７を解除状態に保持する保持機構１４６とを備えている。
【０１０４】
係合具１０７はピン状であって、補強板８２の保持孔１１０と、その前側の取り付け板１４７の保持孔１４８に前後方向に摺動自在に挿通されており、後端側が係合部１０６に係脱可能になっている。操作部１０８は係合具１０７の前端に固定され、第３発光演出手段７０の前カバー８３の前面下部の凹部１５０内に配置され、ロックＲ側とアンロックＵ側との間で前後方向に操作可能である。付勢手段１３６は圧縮コイルバネ等であって、取り付け板１３８と係合具１０７の中間のバネ受け体１４９との間で係合具１０７の外周に套嵌されており、ロック状態では操作部１０８が前カバー８３の凹部１５０に当接している。
【０１０５】
廻り止め機構１４５はバネ受け体１４９から突出する突起部１５１と、保持板１５２側に設けられ且つ突起部１５１を前後方向に摺動自在に案内する二股状の案内部１５３とを有する。保持機構１４６は、二股状の案内部１５３の間に形成された保持凸部１５４を有し、この案内部１５３の弾性変形により保持凸部１５４が突起部１５１に係脱するようになっている。取り付け板１３８、保持板１５２は第３発光演出手段７０の内部で前カバー８３の裏面に固定されている。
【０１０６】
アンロック検出手段１０１は、バネ受け体１４９に固定された被検出部１１８と、前カバー８３内の底壁８３ａ側に固定された検出部１１７とを有する。他の構成は第１又は第２の実施形態と同様である。
【０１０７】
このような構成のロック手段１００を採用すれば、第３発光演出手段７０が第１位置Ａにある状態において、操作部１０８をアンロックＵ側からロックＲ側へと押圧した場合には、付勢手段１３６の付勢により係合具１０７が係合部１０６に係合してロック手段１００が第３発光演出手段７０を固定するロック状態にある。
【０１０８】
ロック手段１００による第３発光演出手段７０の固定をアンロックする場合には、操作部１０８をロックＲ側からアンロックＵ側へと解除方向（Ｘ４方向）に引っ張る。すると係合具１０７が係合部１０６から離脱してロックを解除することができる。そして、突起部１５１が保持凸部１５４を越えるまで操作部１０８を操作すると、突起部１５１が保持凸部１５４の前側のアンロックＵ側に保持されるので、ロック手段１００をアンロック状態に保つことができる。またロック手段１００がアンロック状態になれば、アンロック検出手段１０１がそのアンロック状態を検出する。
【０１０９】
このロック手段１００はアンロック状態に保持可能であり、第１位置Ａと第２位置Ｂとの間で第３発光演出手段７０を変位させる場合には、ロック手段１００をアンロック状態に保持しておく。そして、第３発光演出手段７０が第１位置Ａに位置する状態において、操作部１０８をアンロックＵ側へと反Ｘ４方向に押圧して突起部１５１を保持凸部１５４から外せば、係合具１０７が付勢手段１３６の付勢力により反Ｘ４方向に移動して係合部１０６に係合するので、ロック手段１００により第３発光演出手段７０を第１位置Ａに固定することができる。
【０１１０】
なお、第３発光演出手段７０が第１位置Ａ以外に位置する場合に、操作部１０８をアンロックＵ側に押圧すれば、保持機構１４６による保持が解除されて、付勢手段１３６の付勢力により係合具１０７の先端が第２側部カバー７４の前面に当接するようにしてもよい。この場合には、第３発光演出手段７０が第１位置Ａに位置して係合具１０７が係合部１０６に位置したときに、係合具１０７が係合部１０６に係合して自動ロックすることができる。
【０１１１】
図２１は本発明の第４の実施形態を例示する。この実施形態のロック手段１００は、操作部１０８の手動操作によりロック状態とアンロック状態とに保持可能な保持機構１４６を備えている。この保持機構１４６は、突起部１５１を挟む一対の案内部１５３に前後方向に２個の保持凸部１５４，１５５を設けて、その２個の保持凸部１５４，１５５により突起部１５１を保持するようになっている。第３の実施形態の付勢手段１３６がない。他の構成は第３の実施形態と同様である。
【０１１２】
このようなロック手段１００を採用すれば、保持凸部１５４，１５５による突起部１５１の保持により、ロック手段１００をロック状態とアンロック状態とに保持することができる。そのため第３の実施形態の付勢手段１３６を省略できる等、ロック手段１００の構成を簡素化することができる。また操作部１０８を凹部１５０に当接する必要がなく、操作部１０８と凹部１５０との間に隙間１５６を設けることもできる。
【０１１３】
図２２は本発明の第５の実施形態を例示する。この実施形態では、棒状の解除部材２１０を使用してアンロック可能にしたロック手段１００を備えている。このロック手段１００は、第３発光演出手段７０側に、その裏面側に配置された係合部１０６と、この係合部１０６の前側に対応して前後方向に形成された操作孔２１１とを備え、側部ユニット本体４６Ａ側に、係合部１０６に対して裏側から係脱自在な係合具１０７と、係合具１０７を係合方向に付勢する圧縮バネ等の付勢手段２１２とを備えて構成され、またロック手段１００のアンロックを検出するアンロック検出手段１０１が設けられている。
【０１１４】
係合部１０６は第３発光演出手段７０の補強板８２に形成され、操作孔２１１は前カバー８３に形成されている。係合具１０７は第２側部カバー７４又は取り付け台９５と、取り付け台９５に固定された支持台２１３とに跨がって前後方向に摺動自在に保持され、付勢手段２１２により前側に付勢されている。アンロック検出手段１０１は光学式であって、支持台２１３側に固定された検出部１１７と、係合具１０７の後端に固定された被検出部１１８とを備えている。他の構成は各実施形態と同様である。
【０１１５】
第３発光演出手段７０は、通常、第１位置Ａでロック手段１００によりロックされている。第３発光演出手段７０を第１位置Ａから第２位置Ｂへと倒伏させる場合には、第３発光演出手段７０を第１位置Ａに固定するロック手段１００をロック状態からアンロック状態へと操作する。
【０１１６】
このアンロックに際しては、前カバー８３の操作孔２１１に前側から解除部材２１０を挿入して、その解除部材２１０により係合具１０７を付勢手段２１２に抗してＸ５方向に押圧する。これによって係合具１０７が付勢手段２１２に抗して後退し係合部１０６から離脱するため、ロック手段１００をアンロック状態にすることができる。
【０１１７】
第３発光演出手段７０が第１位置Ａに位置する状態で解除部材２１０による係合具１０７の押圧を開放すれば、係合具１０７が付勢手段２１２の付勢により係合部１０６に係合する。これによりロック手段１００が第３発光演出手段７０を第１位置Ａに再度固定するロック状態となる。
【０１１８】
また第３発光演出手段７０を第１位置Ａ以外に枢軸７１廻りに回動させた後に、解除部材２１０による係合具１０７の押圧を開放すれば、係合具１０７が付勢手段２１２の付勢により補強板８２の裏面に当接するだけであり、ロック手段１００はアンロック状態を維持する。
【０１１９】
一方、ロック手段１００がアンロック状態になると、被検出部１１８が検出部１１７から後方に外れるため、アンロック検出手段１０１がロック手段１００のアンロック状態を検出し、各実施形態と同様にエラー報知手段３７が「アンロックエラー」の第２エラー報知を行う。
【０１２０】
図２３〜図２９は本発明の第６の実施形態を例示する。このパチンコ機２は、図２３〜図２５に示すように、前枠８の前側に前扉９がヒンジ１２，１３廻りに開閉自在に配置されており、この前扉９の前面側下部には、前張り出しユニット４７に対して発射手段２２と反対側に演出用の演出操作手段１８５が設けられている。
【０１２１】
演出操作手段１８５は可動体の一例を構成するものであって、前張り出しユニット４７の一側に配置されており、起立状態の第１位置（原点位置又は初期位置）Ａと、この第１位置Ａの前側に倒れる第２位置（一方の操作位置又は傾斜位置）Ｂとの間で第１軸１８６廻りに変位可能であり、また第１位置Ａと、前扉９に沿って前張り出しユニット４７上に格納される第３位置（他方の操作位置又は格納位置）Ｃとの間で第２軸１８７廻りに変位可能である。
【０１２２】
この演出操作手段１８５は、棒状の操作部材１８８と、この操作部材１８８の上端に設けられた可動装飾部１８９と、前張り出しユニット４７内に配置され且つ操作部材１８８の基部側を第１軸１８６、第２軸１８７廻りに変位可能に枢支する枢支手段１９０とを備えている、
【０１２３】
また枢支手段１９０側には、演出操作手段１８５の第２位置Ｂへの操作を検出する操作検出手段１９１と、第１位置Ａと第３位置Ｃとで演出操作手段１８５を第２軸１８７廻りに回動不能にロックするロック手段１００と、ロック手段１００のアンロック状態を検出するアンロック検出手段１０１とが設けられている。
【０１２４】
可動装飾部１８９は手首から先の左手を模した可動演出部を構成するものであって、操作部材１８８の上端側に固定された掌側の支持部１８９ａと、この支持部１８９ａに作動可能に設けられた親指側の第１可動部１８９ｂと、支持部１８９ａに作動可能に設けられた人指し指等の第２可動部１８９ｃとを備え、第１可動部１８９ｂ及び第２可動部１８９ｃが必要に応じて作動するようになっている。
【０１２５】
枢支手段１９０は、図２６〜図２９に示すように、前張り出しユニット４７の周壁部１９２内の受け部１９３に固定された固定枠１９４と、この固定枠１９４に前後方向の第２軸１８７を介して枢支された可動枠１９５と、操作部材１８８を第１位置Ａに規制する規制部１９６と、操作部材１８８を第１軸１８６廻りに規制部１９６側に付勢する付勢手段１９７とを備え、可動枠１９５に左右方向の第１軸１８６が設けられている。
【０１２６】
固定枠１９４は前後一対の支持部１９４ａを有するＵ字状である。可動枠１９５は前後一対の支持部１９５ａと左右各一対の支持部１９５ｂとを有し、その前後の支持部１９５ａと固定枠１９４の支持部１９４ａとの間に第２軸１８７が設けられ、また左右の支持部１９５ｂ間に第１軸１８６が設けられている。固定枠１９４の支持部１９４ａと可動枠１９５の支持部１９５ａとの間には、可動枠１９５の第２軸１８７廻りの回動に抵抗を付与する抵抗部１９８が介在されている。
【０１２７】
操作部材１８８の下端に支持筒部１９９を有し、その支持筒部１９９は第１軸１８６上に套嵌されている。規制部１９６は可動枠１９５の左右の支持部１９５ｂ間に設けられている。付勢手段１９７は、支持筒部１９９に巻装された弦巻バネ１９７ａにより構成され、その一端側が操作部材１８８に、他端側が可動枠１９５の支持部１９５ｂに夫々係止されている。
【０１２８】
操作検出手段１９１は支持筒部１９９に固定された遮光部等の被検出部２００と、可動枠１９５に固定され且つ演出操作手段１８５の第２位置Ｂへの回動を被検出部２００を介して検出する光センサ等の検出部２０１とを備えている。なお、操作検出手段１９１は演出操作手段１８５の第１軸１８６廻りの角度変化を検出するものでもよいし、その他のものでもよい。
【０１２９】
ロック手段１００は、可動枠１９５の前側の支持部１９５ａに設けられた第１位置Ａ用及び第３位置Ｃ用の２個の係合部１０６ａ，１０６ｃと、前張り出しユニット４７の周壁部１９２と固定枠１９４の前側の支持部１９４ａに跨がって前後方向に挿通されて係合部１０６ａ，１０６ｃに係脱自在に設けられた係合具１０７と、この係合具１０７の前端に設けられた操作部１０８とを備えている。
【０１３０】
そして、このロック手段１００は、操作部１０８をロックＲ側へと押し込んだときに係合具１０７が係合部１０６ａ又は係合部１０６ｃに係合して可動枠１９５を第１位置Ａ又は第３位置Ｃで固定枠１９４にロックし、操作部１０８をアンロックＵ側へと手前に引いたときに係合具１０７が係合部１０６ａ，１０６ｃから離脱して可動枠１９５をアンロックするようになっている。なお、ロック手段１００は演出操作手段１８５を少なくとも第１位置Ａでロック可能であればよい。
【０１３１】
係合部１０６ａは演出操作手段１８５が第１位置Ａのときに、係合部１０６ｃは演出操作手段１８５が第３位置Ｃのときに夫々係合具１０７に対応するように設けられている。従って、ロック手段１００は、演出操作手段１８５を第１位置Ａと第３位置Ｃとの二位置で第２軸１８７廻りに回転しないようにロック可能である。なお、ロック手段１００には、係合具１０７をロックＲ側とアンロックＵ側とに保持する保持機構（図示省略）が設けられている。
【０１３２】
アンロック検出手段１０１は、係合具１０７側に固定された遮光部等の被検出部１１８と、周壁部１９２側に固定され且つ係合具１０７を手前のアンロックＵ側へと操作したときに被検出部１１８を介して検出する光センサ等の検出部１１７とを備えている。
【０１３３】
枢支手段１９０の上側には、この枢支手段１９０を上側から覆い且つ操作部材１８８の第１軸１８６、第２軸１８７廻りの変位を許容する第１案内部２０３、第２案内部２０４が設けられた球面状の固定カバー２０５と、固定カバー２０５の案内部２０３，２０４を下側から塞ぐ球面状の可動カバー２０６とが相対摺動自在に設けられている。
【０１３４】
固定カバー２０５は前張り出しユニット４７の上面側に固定されており、その第１案内部２０３は操作部材１８８の第１位置Ａ、第２位置Ｂ間の変位を許容し、第２案内部２０４は操作部材１８８の第１位置Ａ、第３位置Ｃ間の変位を許容するようになっている。なお、両案内部２０３，２０４は平面視Ｌ字状に設けられている。可動カバー２０６は操作部材１８８に固定されている。他の構成等は各実施形態と同様である。
【０１３５】
この実施形態のパチンコ機２は、特別図柄等の変動中の所定期間内に演出操作手段１８５を第１位置Ａから第２位置ＢへとＸ６方向に操作することにより、画像表示手段１６８に所定の操作演出画像を表示して操作演出を実行可能である。
【０１３６】
通常、演出操作手段１８５は第１軸１８６廻りにのみ操作可能にロック手段１００によりロックされている。即ち、ロック手段１００は、係合具１０７が第１係合部１０６ａに係合するロック状態にあり、操作部材１８８は第２軸１８７廻りには回動しない。従って、演出操作手段１８５は第１軸１８６廻りに操作可能である。
【０１３７】
操作演出に際しては、遊技中に画像表示手段１６８に、演出操作手段１８５の操作を誘導する操作誘導画像が表示されるので、その操作誘導画像の表示中に演出操作手段１８５を第１位置Ａから第２位置Ｂへと操作すると、操作検出手段１９１がその演出操作手段１８５の操作を検出する。そして、この操作検出手段１９１の検出信号に基づいて、画像表示手段１６８に所定の操作演出画像を表示する操作演出が実行される。
【０１３８】
前扉９を第２ヒンジ１３廻りに開放して点検等を行う場合に、前側へと大きく突出する大型の演出操作手段１８５が前扉９の第２ヒンジ１３側の端部にあれば、その演出操作手段１８５が左右のパチンコ機２間に配置された球貸し機３等に接触する。そこで、前扉９を開放する際には、先ず操作部１０８を手前のアンロックＵ側へと引っ張って係合具１０７を係合部１０６ａから外すと、ロック手段１００が演出操作手段１８５をアンロックする。
【０１３９】
次に演出操作手段１８５を第２軸１８７廻りにＸ７方向に操作して第１位置Ａから第３位置Ｃへと回動させる。これによって演出操作手段１８５は操作部材１８８から上側が前張り出しユニット４７の中央上側へと倒れるので、演出操作手段１８５が球貸し機３等に接触することなく前扉９を開放することができる。
【０１４０】
ロック手段１００をアンロックすれば、アンロック検出手段１０１がそのアンロックを検出するため、画像表示手段１６８にロック手段１００がアンロック状態にある旨の「アンロックエラー」を表示して、第２エラー報知を行う。
【０１４１】
前扉９を閉鎖した後は、演出操作手段１８５を第１位置Ａに戻した後、ロック手段１００で演出操作手段１８５をロックする。ロック手段１００をロック状態に戻すか、又はロック手段１００のアンロックから所定のエラー解除時間が経過する等、所定のエラー解除条件が成立すれば、その後に第２エラー報知が終了する。
【０１４２】
ロック手段１００の操作部１０８は遊技者も操作可能であり、その操作部１０８を手前に引っ張れば、ロック手段１００をアンロック状態にすることができる。またロック手段１００をアンロックしても、固定枠１９４と可動枠１９５との支持部１９４ａ，１９５ａ間には抵抗部１９８があり、また固定カバー２０５には第１案内部２０３があるため、第１位置Ａにある演出操作手段１８５を手前側へと操作すれば、第１軸１８６廻りに演出操作手段１８５が第２位置Ｂへと回動する。
【０１４３】
従って、ロック手段１００をアンロックした状態でも、演出操作手段１８５を問題なく第２位置Ｂへと操作することができる。そのため遊技中の遊技者が悪戯でロック手段１００をアンロックするようなことがあっても、画像表示手段１６８に「アンロックエラー」を表示して第２エラー報知を行うが、遊技は継続できるようになっている。
【０１４４】
図３０〜図３４は本発明の第７の実施形態を例示する。この演出操作手段１８５は、図３０〜図３２に示すように、左右方向の第１軸１８６から上側に起立する第１位置（原点位置、初期位置）Ａと、第１位置Ａから前後方向の第２軸１８７廻りに遊技機本体１０の前面側に沿って前張り出しユニット４７上へと傾斜して収納する第２位置（収納位置）Ｂと、第１位置Ａから第１軸１８６廻りに手前側に倒れる第３位置（操作位置）Ｃとに夫々操作可能になっている。
【０１４５】
演出操作手段１８５の基部側には、図３３、図３４に示すように、演出操作手段１８５を第１位置Ａに付勢する付勢手段１９７と、演出操作手段１８５の第３位置Ｃの操作を検出する操作検出手段１９１と、通常時に演出操作手段１８５を第２軸１８７廻りに屈曲不能にロックし且つ収納時に演出操作手段１８５を第２位置Ｂ側へと屈曲可能にするロック手段１００と、ロック手段１００のアンロックを検出するアンロック検出手段１０１とが設けられている。
【０１４６】
前扉９にはその前張り出しユニット４７の側方に枢支基部２１５が設けられ、この枢支基部２１５の第１軸１８６を介して演出操作手段１８５が前後方向に回動自在に枢支されている。
【０１４７】
演出操作手段１８５は、図３３、図３４に示すように、第１軸１８６により枢支された基部部材２１６と、この基部部材２１６に第２軸１８７を介して屈折可能に連結された操作部材１８８と、この操作部材１８８の上端側に設けられた可動装飾部１８９とを備えている。
【０１４８】
ロック手段１００は基部部材２１６と操作部材１８８との間に設けられている。基部部材２１６は第１軸１８６廻りに一体回動可能に支持された内部材２１７と外部材２１８とを有し、筒状の外部材２１８内に内部材２１７が設けられている。操作部材１８８は連結部２１９，２２０及び第２軸１８７を介して内部材２１７に屈折可能に連結され、また外部材２１８に螺合する固定ナット２２１により外部材２１８に屈折不能に固定されている。
【０１４９】
内部材２１７の連結部２１９は前後方向に偏平状である。操作部材１８８の連結部２１９は内部材２１７の連結部２２０を前後両側から挟む二股状であって、第２軸１８７が挿通されている。第２軸１８７は第１軸１８６と平面視略直角の前後方向に配置されており、内部材２１７の連結部２２０に形成された上下方向の長孔２２２に挿通されている。内部材２１７にはその受け部２２３と第２軸１８７との間に圧縮バネ等の付勢手段２２４が套嵌されている。なお、付勢手段２２４は圧縮バネ以外のものでもよい。
【０１５０】
外部材２１８は固定ナット２２１が螺合するネジ部２２５と、このネジ部２２５の第２位置Ｂ側に形成された切り欠き部２２６とを有する。固定ナット２２１はキャップ状であって、外部材２１８のネジ部２２５に螺合して締め付けたときに操作部材１８８の連結部２１９を内部材２１７側へと下方向に押圧して、操作部材１８８を基部部材２１６に対して屈折不能に固定し、ネジ部２２５との螺合を解除したときに操作部材１８８の基部部材２１６に対する固定を解除するようになっている。切り欠き部２２６は第１位置Ａの操作部材１８８の連結部２１９に対応してネジ部２２５の第２位置Ｂ側に設けられている。
【０１５１】
付勢手段１９７は第１軸１８６の外周側に巻回された弦巻バネ１９７ａを備え、その弦巻バネ１９７ａの一端は内部材２１７に係止され、他端は枢支基部２１５に係止されている。なお、演出操作手段１８５は第１位置Ａと第３位置Ｃとの操作許容範囲内で前後方向に操作可能であり、枢支基部２１５内には演出操作手段１８５の回動を操作許容範囲内に規制する規制手段（図示省略）が設けられている。
【０１５２】
操作検出手段１９１は非接触式であって、枢支基部２１５内に配置された検出部２０１と、基部部材２１６側に固定された被検出部２００とを備え、検出部２０１が被検出部２００を介して演出操作手段１８５の操作を検出するようになっている。被検出部２００は外部材２１８と内部材２１７との間に介在され、第１軸１８６廻りに演出操作手段１８５と一体に回動可能に設けられている。
【０１５３】
アンロック検出手段１０１は外部材２１８の内側に固定された磁気感応式の検出部１０１ａを備え、磁性体である第２軸１８７が上昇して離れたときに、検出部１０１ａが第２軸１８７を介してロック手段１００のアンロックを磁気的に検出するようになっている。他の構成は各実施形態と同様である。
【０１５４】
演出操作手段１８５は、通常、固定ナット２２１をネジ部２２５に螺合することにより基部部材２１６と操作部材１８８とが屈折不能に固定されており、また付勢手段１９７により第１位置Ａに保持されている。そこで、第１位置Ａにある演出操作手段１８５を第１軸１８６廻りに第３位置Ｃ側へとＸ７方向に回動操作すると、操作部材１８８、基部部材２１６が第１軸１８６廻りに一体にＸ７方向に回動し、操作検出手段１９１がその操作を検出する。
【０１５５】
演出操作手段１８５を第３位置Ｃから第１位置Ａに戻す場合には、演出操作手段１８５に対する操作力を解除するか、又は演出操作手段１８５を第１位置Ａへと軽く操作すれば、演出操作手段１８５が第１位置Ａに戻る。
【０１５６】
前枠８又は前扉９をヒンジ１２，１３廻りに開放するときには、ロック手段１００をアンロックして第１位置Ａにある演出操作手段１８５を第２軸１８７廻りに屈曲させて、図２３に二点鎖線で示すように、前扉９の前側の第２位置Ｂに収納する。これによって前枠８又は前扉９の開放時にも、演出操作手段１８５の他の付属機器類等に対する干渉を回避することができる。
【０１５７】
演出操作手段１８５を第２位置Ｂに収納するときには、先ず固定ナット２２１のネジ部２２５に対する螺合を解除すると、第１位置Ａ側の操作部材１８８が付勢手段２２４の付勢力により長孔２２２の範囲内で上昇する。そして、操作部材１８８を第２軸１８７廻りに第２位置ＢへとＸ６方向に回動させると、操作部材１８８、取り分けその連結部２１９が切り欠き部２２６内に対応するため、演出操作手段１８５の上部側の操作部材１８８を前扉９の前側近傍に沿って第２位置Ｂへと倒して収納することができる。
【０１５８】
一方、固定ナット２２１がネジ部２２５から外れてロック手段１００がアンロック状態になると、第２軸１８７がＸ８方向に上昇して検出部１０１ａから離れるため、アンロック検出手段１０１がロック手段１００のアンロック状態を検出し、各実施形態と同様にエラー報知手段３７が「アンロックエラー」の第２エラー報知を行う。
【０１５９】
図３５〜図３７は本発明の第８の実施形態を例示する。このスロットマシン１６０は、遊技機本体１６１の前面上部に、前後方向に出し入れ可能に前突出発光演出手段１６２（可動体）が設けられている。遊技機本体１６１は、筐体１６３と、この筐体１６３の前側に配置され且つ上下一対のヒンジ（図示省略）により開閉自在に枢支された前扉１６４とを備え、その前扉１６４の前上部に前突出発光演出手段１６２が配置されている。
【０１６０】
筐体１６３内には上下方向の中間に遊技図柄表示手段１６６が、その上側に画像表示手段１６８が夫々設けられている。遊技図柄表示手段１６６は左右方向に３個の回転リール１６７を備えたリール式であり、その各回転リール１６７には周方向に複数個の遊技図柄が付されている。画像表示手段１６８は液晶式等であり、遊技中の演出画像を表示する他、エラー報知手段３７を構成している。
【０１６１】
前扉１６４には、遊技図柄表示手段１６６に対応する遊技図柄表示窓１６９と、画像表示手段１６８に対応する画像表示窓１７０と、画像表示手段１６８の上側で前後に出し入れ自在に配置された前突出発光演出手段１６２と、遊技図柄表示窓１６９の下側に配置された操作パネル１７１と、最下部に配置されたメダル受け皿１７２とを備えている。
【０１６２】
遊技図柄表示窓１６９は遊技図柄表示手段１６６の遊技図柄を、画像表示窓１７０は画像表示手段１６８の表示画像を夫々前側から視認できるようになっている。遊技図柄表示窓１６９は遊技図柄表示手段１６６の回転リール１６７が停止したときに、その各回転リール１６７の遊技図柄表示窓１６９に対応する周方向の複数個の遊技図柄を前側から視認可能である。
【０１６３】
操作パネル１７１は上パネル部１７３と前パネル部１７４とを備え、上パネル部１７３にはマックスベットボタン１７５、メダル投入口１７６等が設けられている。前パネル部１７４には各回転リール１６７を同時に回転させるためのスタートレバー１７７、回転中の各回転リール１６７を個別に停止させるためのストップボタン１７８等が設けられている。
【０１６４】
前突出発光演出手段１６２は可動体を構成するものであって、演出画像を表示可能な液晶式等の表示パネル１６５と、この表示パネル１６５を前扉１６４に対して第１位置（突出位置）Ａと第２位置（後退位置又は格納位置）Ｂとに変位可能に支持する案内機構１８０とを備えている。
【０１６５】
案内機構１８０は表示パネル１６５から後方に突出する可動板１８１と、この可動板１８１に形成された案内溝１８２に挿通して前扉１６４の側面に固定された案内突起１８３とを備え、案内溝１８２の範囲内で表示パネル１６５を第１位置Ａと第２位置Ｂとに変位可能に支持している。
【０１６６】
第１位置Ａはメダル受け皿１７２よりも前側に設定されており、表示パネル１６５は第１位置Ａに位置するときには、遊技機本体１６１側の平面視投影領域から前側に突出する状態となる。そして、表示パネル１６５はこの第１位置Ａにおいてロック手段１００により遊技機本体１６１に対してロック可能である。
【０１６７】
ロック手段１００は第３の実施形態又は第４の実施形態と同様であって、案内機構１８０の可動板１８１側に設けられ且つ操作部１０８を介して左右方向に操作可能に配置された係合具１０７と、前扉１６４側に設けられた係合部１０６とを有し、アンロック状態に保持可能に構成されている。
【０１６８】
第２位置Ｂは表示パネル１６５が遊技機本体１６１の前面側上部に接近して、遊技機本体１６１の平面視投影領域内に収まる状態である。なお、ロック手段１００は表示パネル１６５の第２位置Ｂに対応する係合部１０６を前扉１６４に設けて、第２位置Ｂでも表示パネル１６５を前扉１６４側にロックするようにしてもよい。他の構成は各実施形態と同様である。
【０１６９】
このような構成のスロットマシン１６０では、遊技図柄表示手段１６６の各回転リール１６７を回転させて、その回転後の停止図柄が所定の組み合わせとなるか否かにより遊技を行う。この遊技中に、前突出発光演出手段１６２の表示パネル１６５、画像表示手段１６８等が演出画像を表示してその時点の遊技状態の演出を行う。
【０１７０】
遊技島１に設置した後には、前突出発光演出手段１６２を第１位置Ａへと引き出して、その第１位置Ａでロック手段１００によりロックした状態で使用する。ロック手段１００は梱包等の利便性を考えて、操作部１０８を操作することにより任意にアンロック可能であり、アンロックすれば、第１位置Ａから第２位置Ｂへと前突出発光演出手段１６２を変位させることができる。そして、前突出発光演出手段１６２を第２位置Ｂにした状態でも、表示パネル１６５に演出画像を表示しながら、遊技を行うことができる。
【０１７１】
前突出発光演出手段１６２の第１位置Ａにおいて、操作部１０８を引いて係合具１０７を係合部１０６から外してロック手段１００をアンロックすれば、アンロック検出手段１０１がロック手段１００のアンロックを検出するため、画像表示手段１６８のエラー報知手段３７が「アンロックエラー」の第２エラー報知を行う。そのためエラー報知手段３７の「アンロックエラー」の第２エラー報知を見れば、ロック手段１００がアンロック状態にあることが判る。
【０１７２】
このように遊技機本体１６１の前側上部に前突出発光演出手段１６２を第１位置Ａと第２位置Ｂとの間で前後方向に変位可能に備えたスロットマシン１６０の場合にも、各実施形態と同様に実施することが可能である。
【０１７３】
なお、前突出発光演出手段１６２は、案内機構１８０により前後方向に直線的に変位可能にする他、案内溝１８２を前上がり又は前下がりの傾斜状に構成したり、上向き又は下向きの円弧状に構成したりして、前突出発光演出手段１６２がその案内溝１８２に沿って前後方向に変位するようにしてもよい。更に前突出発光演出手段１６２は、左右方向の枢軸廻りに前向きの第１位置（演出位置）Ａと下向きの第２位置Ｂ（格納位置）とに変位するように構成してもよい。
【０１７４】
図３８〜図４５は本発明の第９の実施形態を例示する。この実施形態では、図３８〜図４１に示すように、遊技機本体１０の上部に枢軸廻りに第１位置（起立位置）Ａと第２位置（倒伏位置）Ｂとに変位可能に配置された第３発光演出手段７０と、この第３発光演出手段７０を第１位置Ａ、第２位置Ｂで夫々ロック・アンロック可能なロック手段１００と、第１位置Ａの第３発光演出手段７０を検出可能な第１位置検出手段２３０と、第２位置Ｂの第３発光演出手段７０を検出可能な第２位置検出手段２３１と、ロック手段１００のロック状態を検出可能なロック検出手段２３２と、ロック手段１００のアンロック状態を検出可能なアンロック検出手段２３３と、各検出手段２３０〜２３３の検出信号に基づいてその時点の第３発光演出手段７０、ロック手段１００の状態の適否を判定する判定手段２３４と、この判定手段２３４が不適当と判定したときにその判定結果に従って所定のエラー報知を行うエラー報知手段２３５とを備えている。
【０１７５】
第３発光演出手段７０は、第１の実施形態と同様に、遊技機本体１０の第２側部ユニット４６の前側上部に枢軸７１を介して枢支され、規制手段９９により第１位置Ａと第２位置Ｂとに変位可能に規制されている。規制手段９９は側部ユニット本体４６Ａの取り付け台９５、第２側部カバー７４の前面側に形成された長孔１０３と、第３発光演出手段７０の支持板８１、補強板８２側に固定され且つ長孔１０３内に係合する規制突起１０４とを備えている。
【０１７６】
ロック手段１００は第３発光演出手段７０を第１位置Ａ、第２位置Ｂで夫々ロック・アンロック可能であり、第３発光演出手段７０の第１位置Ａ、第２位置Ｂに対応して取り付け台９５、第２側部カバー７４の前面側に形成された係合部１０６ａ，１０６ｂと、第３発光演出手段７０の支持板８１、補強板８２に前後方向に挿通され且つ各係合部１０６ａ，１０６ｂに対して係脱自在な係合具１０７と、ロックＲ側とアンロックＵ側とに手動操作可能な操作部１０８と、操作部１０８の操作と係合具１０７とを連動させるトグル機構２３８とを備えている。
【０１７７】
操作部１０８は第３発光演出手段７０の前カバー８３の前面部に形成された案内溝１１１を貫通して、前カバー８３の前面部の裏側に配置された摺動部１１２に固定され、前カバー８３の前側でロックＲ側とアンロックＵ側とに手動操作可能である。
【０１７８】
トグル機構２３８は、支軸２３９により回動自在に枢支されたベルクランク等の連動アーム２４０と、この連動アーム２４０を支軸２３９廻りにロック方向とアンロック方向との二方向に切り換え付勢可能な付勢バネ２４１と、連動アーム２４０の回動範囲をロック位置、アンロック位置に規制するロックストッパ部２４２、アンロックストッパ部２４３とを備えている。連動アーム２４０は第１アーム部２４４と第２アーム部２４５とを備え、その第１アーム部２４４に係合具１０７が長孔２４７、ピン２４８等を介して連結されると共に、付勢バネ２４１の一端側がバネ掛け部２４９に連結されている。
【０１７９】
付勢バネ２４１の他端側は、支軸２３９に対して第１アーム部２４４の反対側に配置されたバネ掛け部２５０に係止されている。第２アーム部２４５は先端に被係合部２５２を有し、その被係合部２５２が摺動部１１２の裏側の係合部２５３に係合されている。
【０１８０】
このロック手段１００は、操作部１０８がロックＲ側に位置する場合に、連動アーム２４０の第１アーム部２４４が付勢バネ２４１のバネ力によりロックストッパ部２４２に当接して係合具１０７が第１位置Ａに対応する係合部１０６ａ又は第２位置Ｂに対応する係合部１０６ｂに係合するロック状態にあり、また操作部１０８がアンロックＵ側に位置する場合に、連動アーム２４０の第１アーム部２４４が付勢バネ２４１のバネ力によりアンロックストッパ部２４３に当接して係合具１０７が第１位置Ａに対応する係合部１０６ａ又は第２位置Ｂに対応する係合部１０６ｂから離脱するアンロック状態にある。
【０１８１】
例えば、ロック手段１００が第３発光演出手段７０を第１位置Ａでロックするロック状態からアンロックする場合には、操作部１０８をロックＲ側からアンロックＵ側へと図３９のＸ２矢示方向に操作する。すると係合部２５３、被係合部２５２を介して連動アーム２４０が付勢バネ２４１に抗しながら支軸２３９廻りに図３９のＸ３矢示方向に回動する。そして、連動アーム２４０が全回動角度の略半分まで回動して第１アーム部２４４側のバネ掛け部２４９がバネ掛け部２５０と支軸２３９との中心を通る線分上をアンロックストッパ部２４３側に越えると、連動アーム２４０は付勢バネ２４１のバネ力によりＸ３矢示方向に回動してアンロックストッパ部２４３に当接する。
【０１８２】
そのため係合部１０６ａ又は１０６ｂに係合していた係合具１０７は、連動アーム２４０の回動に伴って係合部１０６ａ又は１０６ｂから図３９のＹ３矢示方向に離脱してアンロック状態となる。そして、付勢バネ２４１のバネ力によりアンロック状態を維持する。なお、被係合部２５２と係合部２５３との係合状態には、付勢バネ２４１のバネ力による連動アーム２４０の回動を許容する程度の遊びがある。
【０１８３】
第１位置検出手段２３０、第２位置検出手段２３１は、側部ユニット本体４６Ａ内の取り付け台９５等に基板を介して固定され、規制手段９９の規制突起１０４の先端に固定された被検出部２５５を介して検出するようになっている。なお、位置検出手段２３０，２３１と被検出部２５５は、その一方が第３発光演出手段７０側に、他方が第３発光演出手段７０とは反対の固定側にあればよく、この実施形態に例示の構造に限定されるものではない。
【０１８４】
各位置検出手段２３０，２３１は、第３発光演出手段７０の第１位置Ａ、第２位置Ｂに対応して枢軸７１廻りの被検出部２５５の円周上に配置されており、被検出部２５５が発光素子と受光素子との間に進入して遮光したときに第３発光演出手段７０の第１位置Ａ、第２位置Ｂを検出するようになっている。
【０１８５】
ロック検出手段２３２、アンロック検出手段２３３は、第３発光演出手段７０内の支持板８１等の固定側に基板等を介して配置され、連動アーム２４０側の被検出部２５６を介してロック手段１００のロック状態、アンロック状態を検出するようになっている。ロック検出手段２３２、アンロック検出手段２３３は、ロック手段１００のロック状態、アンロック状態に対応して被検出部２５６の支軸２３９廻りの円周上に配置されており、被検出部２５６が発光素子と受光素子との間に進入して遮光したときにロック手段１００のロック状態、アンロック状態を検出するようになっている。
【０１８６】
判定手段２３４は第１位置検出手段２３０、第２位置検出手段２３１、ロック検出手段２３２、アンロック検出手段２３３の検出信号に基づいて、その時点のときの第３発光演出手段７０及びロック手段１００の状態が適当か否かを判定するものであり、この判定手段２３４が行う状態判定には、次に例示する第１状態、第２状態、第３状態及び第４状態の四種類がある。
【０１８７】
第１状態は、図３８に示すように、第３発光演出手段７０が第１位置Ａで起立状態にありロック手段１００が第３発光演出手段７０をロックするロック状態であって、パチンコ機が正常に稼動可能な正常状態である。この第１状態では、第１位置検出手段２３０が第３発光演出手段７０の第１位置Ａを検出し、ロック検出手段２３２がロック手段１００のロック状態を検出するため、判定手段２３４は正常判定を行う。
【０１８８】
第２状態は、図４２（ａ）に示すように、第３発光演出手段７０が第１位置Ａで起立状態にありロック手段１００が第３発光演出手段７０をアンロックするアンロック状態にあって、第１位置Ａで起立する第３発光演出手段７０をロック手段１００によりロックする必要のある状態である。この第２状態では、第１位置検出手段２３０が第３発光演出手段７０の第１位置Ａを検出し、アンロック検出手段２３３がロック手段１００のアンロック状態を検出するため、判定手段２３４は第２状態である旨の第１エラー判定を行う。
【０１８９】
第３状態は、図４２（ｂ）に示すように、第３発光演出手段７０が第２位置Ｂで倒伏状態にありロック手段１００が第３発光演出手段７０をアンロックするアンロック状態にあって、第２位置Ｂで倒伏する第３発光演出手段７０をロック手段１００によりロックする必要のある状態である。この第３状態では、第２位置検出手段２３１が第３発光演出手段７０の第２位置Ｂを検出し、アンロック検出手段２３３がロック手段１００のアンロック状態を検出するため、判定手段２３４は第３状態である旨の第２エラー判定を行う。
【０１９０】
第４状態は、図４２（ｃ）に示すように、第３発光演出手段７０が第２位置Ｂで倒伏状態にありロック手段１００が第３発光演出手段７０をロックするロック状態にあって、第３発光演出手段７０が第２位置Ｂにあるがロック手段１００により既にロックされた状態である。この第４状態では、第２位置検出手段２３１が第３発光演出手段７０の第２位置Ｂを検出し、ロック検出手段２３２がロック手段１００のロック状態を検出するため、判定手段２３４は第４状態である旨の第３エラー判定を行う。
【０１９１】
エラー報知手段２３５は、判定手段２３４の第１〜第３エラー判定に応じて所定のエラー報知を行うためのもので、液晶表示手段等の画像表示手段２７により構成される画像報知部２５８と、第３発光演出手段７０、その他のＬＥＤにより構成されるＬＥＤ報知部２５９とを備えている。
【０１９２】
このエラー報知手段２３５は、判定手段２３４が第２状態である旨の第１エラー判定をした場合には、図４３（ａ）に示すように、その第１エラー判定から所定時間Ｔ１が経過するまで遅延させてその所定時間Ｔ１の経過後に画像報知部２５８のみで報知する第１エラー報知を行い、判定手段２３４が第３状態である旨の第２エラー判定をした場合には、図４３（ｂ）に示すように、画像報知部２５８、ＬＥＤ報知部２５９の両方で直ちに第２エラー報知を行い、図４３（ｃ）に示すように、判定手段２３４が第４状態である旨の第３エラー判定をした場合には、画像報知部２５８、ＬＥＤ報知部２５９の両方で第３エラー判定から所定時間Ｔ２が経過するまでの間に報知する第３エラー報知を行うようになっている。所定時間Ｔ１と所定時間Ｔ２は同じ時間でもよいし、異なる時間でもよい。所定時間Ｔ１を所定時間Ｔ２よりも短くしてもよいし、長くしてもよい。
【０１９３】
エラー報知手段２３５によるエラー報知の報知形態が異なるのは、第２状態、第３状態、第４状態の発生状況の違いに基づくものである。即ち、第２状態は図４２（ａ）に示す状態であり、１）遊技ホールの係員がロック手段１００をアンロックし第３発光演出手段７０を倒して球詰まりの解消等の作業を行った後、第３発光演出手段７０を元の第１位置Ａに戻すも、ロック手段１００により第３発光演出手段７０をロックし忘れたという状況や、２）遊技者が悪戯目的、好奇心等で第３発光演出手段７０に触っていた場合にロック手段１００による第３発光演出手段７０のロックを解除してしまい、そのままでロックし忘れたという状況である。
【０１９４】
この第２状態では、第３発光演出手段７０をロックせずにそのまま放置すれば、第３発光演出手段７０が第２位置Ｂ側へと倒れて破損する等の恐れがある。しかし、第３発光演出手段７０は第１位置Ａで起立状態にあるため、遊技自体の継続は可能である。従って、エラー報知手段２３５は、判定手段２３４からの第１エラー判定があれば、所定時間（例えば３０秒程度）が経過するまでは報知を行わず、その所定時間の経過後に画像表示手段２７の一部の画像報知部２５８に第１エラー報知を画像表示して、ロック手段１００のロックを促す。この画像報知部２５８による第１エラー報知は、ロック手段１００をロック状態に戻せば終了する。なお、画像報知部２５８は遊技に支障を来さないように画像表示手段２７の一部に小さく配置することが望ましい。
【０１９５】
第３状態は図４２（ｂ）に示す状態であり、１）遊技ホールの係員がロック手段１００をアンロックし第３発光演出手段７０を倒して球詰まりの解消等の作業を行った後、第３発光演出手段７０を元の第１位置Ａに戻し忘れたという状況や、２）遊技者が悪戯目的、好奇心等で第３発光演出手段７０に触っていてロック手段１００をアンロックしてしまい、そのまま放置しているという状況である。
【０１９６】
この第３状態では、第３発光演出手段７０をロックせずにそのまま放置すれば、第３発光演出手段７０が第２位置Ｂ側へと倒れて破損する等の恐れがある。また第３発光演出手段７０が倒伏状態のままであれば、遊技領域２５内の遊技球の視認性が低下する等の問題がある。従って、エラー報知手段２３５は、画像報知部２５８、ＬＥＤ報知部２５９の両方で直ちに第２エラー報知を行い、第３発光演出手段７０の第１位置Ａへの復帰とロック手段１００のロックとを促す。エラー報知手段２３５による第２エラー報知は、第３発光演出手段７０を第１位置Ａに戻しロック手段１００をロックすれば終了する。
【０１９７】
第４状態は図４２（ｂ）に示す状態であり、１）遊技ホールの開店前、閉店後にパチンコ機の掃除やＰ０Ｐの取り付け等のためにロック手段１００をアンロックして第３発光演出手段７０を第２位置Ｂに倒し、第３発光演出手段７０が動かないようにロック手段１００によりロックしている状況である。
【０１９８】
この第４状態では、第３発光演出手段７０の安定性も確保されており、また遊技ホールの係員が意図的にしている場合があることから、エラー報知手段２３５は、第３エラー判定から所定時間が経過するまで画像報知部２５８により第３エラー報知を行う。そして、所定時間が経過すれば、第３エラー報知を終了する。
【０１９９】
第３発光演出手段７０の第１位置Ａと第２位置Ｂ、ロック手段１００のロック状態とアンロック状態、判定手段２３４の各判定結果、エラー報知手段２３５の各エラー報知の関係は、図４４に示す通りである。
【０２００】
エラー判定報知処理は、図４５に示すフローチャートの手順により行う。判定手段２３４は制御系の所定の割り込み処理毎に第１位置検出手段２３０、第２位置検出手段２３１、ロック検出手段２３２、アンロック検出手段２３３の検出信号を読み込んでおり（Ｓ１）、割り込み時間間隔でエラーの有無を判定し、エラー判定があればその判定結果に従ってエラー報知手段２３５がエラー報知を行う。
【０２０１】
判定手段２３４は先ず第３発光演出手段７０が第１位置Ａ、第２位置Ｂの何れにあるかを判定する（Ｓ２）。Ｓ2 において、第３発光演出手段７０が第１位置Ａにあり、第１位置検出手段２３０の検出信号がオン状態にあれば、ロック手段１００がロック状態、アンロック状態の何れかを判定する（Ｓ３）。Ｓ３において、ロック手段１００がロック状態にあり、ロック検出手段２３２の検出信号がオン状態にあれば、判定手段２３４がエラーのない第１状態である旨の正常判定を行い（Ｓ４）、エラー報知手段２３５はエラー報知をしない（Ｓ５）。
【０２０２】
Ｓ３において、第１ロック手段１００がアンロック状態にあり、アンロック検出手段２３３の検出信号がオン状態であれば、判定手段２３４が第２状態である旨の第１エラー判定を行う（Ｓ６）。そのため、エラー報知手段２３５は第１エラー判定から所定時間内か否かを判定し（Ｓ７）、第１所定時間内であれば（Ｓ７のＹＥＳ）、正常時と同様に第１エラー報知を行わない（Ｓ８）。そして、第１エラー判定から所定時間が経過すれば（Ｓ７のＮＯ）、その後に画像報知部２５８での第１エラー報知を開始する（Ｓ９）。なお、このときＬＥＤ報知部２５９は、第１エラー報知を行わない。
【０２０３】
Ｓ２において、第３発光演出手段７０が第２位置Ｂにあり、第２位置検出手段２３１の検出信号がオンであれば、判定手段２３４はロック手段１００がロック状態、アンロック状態の何れかを判定する（Ｓ１０）。そして、Ｓ１０において、ロック手段１００がアンロック状態にあり、アンロック検出手段２３３の検出信号がオン状態であれば、判定手段２３４は第３状態である旨の第２エラー判定を行う（Ｓ１１）。そのためエラー報知手段２３５は画像報知部２５８、ＬＥＤ報知部２５９の両方で直ちに第２エラー報知を行う（Ｓ１２）。
【０２０４】
Ｓ１０において、ロック手段１００がロック状態にあり、ロック検出手段２３２の検出信号がオン状態であれば、判定手段２３４は第４状態である旨の第３エラー判定を行う（Ｓ１３）。そのため、エラー報知手段２３５は第３エラー判定から第２所定時間内か否かを判定し（Ｓ１４）、所定時間内であれば（Ｓ１４のＹＥＳ）、画像報知部２５８、ＬＥＤ報知部２５９の両方で第３エラー報知を行なう（Ｓ１５）。そして、第３エラー判定から第２所定時間が経過すれば（Ｓ１４のＮＯ）、エラー報知手段２３５はその第３エラー報知を終了する（Ｓ１６）。
【０２０５】
なお、この実施形態では、第１エラー報知は所定時間の経過後に行い、第３エラー報知は第２所定時間内に行うようにしているが、第１エラー報知は第１所定時間内に行い、第３エラー報知は所定時間の経過後に行うようにしてもよい。
【０２０６】
図４６は本発明の第１０の実施形態を例示する。第９の実施形態に示すように、第１位置Ａにある第３発光演出手段７０を第１位置検出手段２３０により検出し、第２位置Ｂにある第３発光演出手段７０を第２位置検出手段２３１により検出する構成を採用した場合には、第３発光演出手段７０が第１位置Ａと第２位置Ｂとの中間位置に位置する場合のエラー報知が問題となる。
【０２０７】
特に第３発光演出手段７０が中間位置にある場合には、第１位置Ａ、第２位置Ｂとは異なって規制手段９９による規制も働いていないので、そのまま放置すれば第３発光演出手段７０は、その自重が枢軸７１廻りに第２位置Ｂへと回動して破損する等の恐れがある。従って、第３発光演出手段７０が中間位置にある場合には、それを的確に判断してエラー報知を行う必要がある。
【０２０８】
そこで、この第１０の実施形態では、図４６に示すように、第３発光演出手段７０が第１位置Ａか否かの判定と（Ｓ１８）、第３発光演出手段７０が第２位置Ｂか否かの判定と（Ｓ１９）を別々に行い、第３発光演出手段７０が第１位置Ａ、第２位置Ｂの何れにもない場合には、第３発光演出手段７０が第１位置Ａと第２位置Ｂとの中間位置に位置する第５状態である旨の第４エラー判定を行い（Ｓ２０）、エラー報知手段２３５が第４エラー報知を行うようにしている（Ｓ２１）。このようにすることによって、第３発光演出手段７０が悪戯等により中間位置に放置される状況が生じても、その解消に迅速に対応することができる。
【０２０９】
即ち、第３発光演出手段７０が第１位置Ａか否かの判定により（Ｓ１８）、第３発光演出手段７０が第１位置Ａにあると判定した場合には（Ｓ１８のＹＥＳ）、第９の実施形態と同様の処理を行う。また第３発光演出手段７０が第１位置Ａにないと判定した場合には（Ｓ１８のＮ０）、第３発光演出手段７０が第２位置Ｂか否かの判定を行う（Ｓ１９）。第３発光演出手段７０が第２位置Ｂにあると判定した場合には（Ｓ１９のＹＥＳ）、第９の実施形態と同様の処理を行う。
【０２１０】
また第３発光演出手段７０が第２位置Ｂにないと判定した場合には（Ｓ１９のＮ０）、第３発光演出手段７０が第１位置Ａと第２位置Ｂとの中間位置に位置する第５状態にあるため、その第５状態にある旨の第４エラー判定を行い（Ｓ２０）、エラー報知手段２３５が画像報知部２５８、ＬＥＤ報知部２５９の両方で第４エラー報知を直ちに行う（Ｓ２１）。この第４エラー報知は、他の第１エラー報知、第２エラー報知、第３エラー報知とは容易に識別可能な報知形式を採っている。
【０２１１】
このように第３発光演出手段７０が第１位置Ａと第２位置Ｂとの中間位置の第５状態にある場合に、それを判定手段２３４が第４エラー判定として判定し，その第４エラー判定に基づいてエラー報知手段２３５が第４エラー報知を行うことにより、遊技ホールの係員は、第３発光演出手段７０を第１位置Ａに戻すべく速やかに対応することができ、第３発光演出手段７０の中間位置での放置による損傷を未然に防止できる。その後、第３発光演出手段７０を第１位置Ａに戻してロック手段１００によりロックするまで第４エラー放置は継続し、第３発光演出手段７０を第１位置Ａでロック手段１００でロックすることにより、エラー報知は終了する。
【０２１２】
なお、第３発光演出手段７０が第１位置Ａと第２位置Ｂとの中間位置の第５状態にある場合には、ロック手段１００の係合具１０７は係合部１０６ａ，１０６ｂから外れたアンロック状態にあるため、アンロック検出手段２３３がそのアンロック状態を検出しているが、この実施形態では、第４エラー判定を行う上でロック手段１００がロック状態、アンロック状態の何れであるかは条件ではない。
【０２１３】
以上、本発明の各実施形態について詳述したが、本発明は各実施形態に限定されるものではなく、その趣旨が逸脱しない範囲で種々の変更が可能である。実施形態では、パチンコ機２とスロットマシン１６０について例示しているが、パチンコ機２等の弾球遊技機は勿論のこと、スロットマシン１６０等を含む各種の遊技機においても同様に実施可能である。
【０２１４】
各実施形態では、可動体として第３発光演出手段７０、前突出発光演出手段１６２、演出操作手段１８５等を例示しているが、可動体は第３発光演出手段７０、前突出発光演出手段１６２、演出操作手段１８５等に限定されるものではなく、少なくとも二つの位置に変位可能なものであれば、対象が何であっても同様に実施可能である。例えば、可動体は遊技島１等に設置した後、特に遊技中に変位させる必要があるものでもよいし、梱包、運搬時に変位させる必要があるものでもよい。
【０２１５】
また第１位置Ａと第２位置Ｂは可動体が相対的に変位する場合の相対位置であり、一方が初期位置、原点位置、待機位置等であれば、他方がそれとは別の移動位置等であればよい。突出位置、演出位置、格納位置等の場合には、その可動体の変位形態に応じて決定されるものであり、その位置は第１位置Ａ、第２位置Ｂの何れでもよい。
【０２１６】
ロック手段１００は可動体を第１位置Ａで遊技機本体１０にロック可能なものであればよく、各実施形態に例示のロック手段１００に限定されるものではない。アンロック検出手段１０１はロック手段１００のアンロックを検出可能なものであれば十分であり、光学式検出手段等の非接触式の他、接触式を採用することも可能である。
【０２１７】
またロック手段１００は単独のロック機構（単独のロック部材又は単独のロックユニット）を備えたものに限定されず、複数のロック機構（複数のロック部材又は複数のロックユニット）により構成されるものでもよい。またロック手段１００がロック機構により構成される場合であっても、それをアンロックするアンロック手段（アンロック方法）は、必ずしも直接的なロック機構の解除動作をするものには限られず、ロック機構の解除制御を指示するための所定操作（ロック解除ボタンの操作など）でも構わない。
【０２１８】
またロック手段１００は単独のロック機構（単独のロック部材又は単独のロックユニット）に限定されず、複数のロック機構（複数のロック部材又は複数のロックユニット）により構成されるものでもよい。またロック手段１００はロック機構によるものであっても、そのアンロック（アンロック方法）は必ずしも直接的なロック機構の解除動作をするものには限られず、ロック機構の解除制御を指示するための所定操作（ロック解除ボタンの操作など）でも構わない。
【０２１９】
ロック手段１００のロック機構が複数ある場合、例えば、第１ロック部材（当該部材の主目的がロックでない場合は、名称はロック部材に限定されない）を移動又は操作することにより、第２ロック部材（第１ロック部材の主目的がロックでない場合は、当該部材の名称が第１ロック部材に繰り上がる）の移動又は操作が可能となるようにしてもよい。なお、ロック手段１００は３つ以上のロック部材又はロックユニットを設けてもよい。
【０２２０】
「複数のロック部材」と「複数のロックユニット」の呼称の違いとして、（１）複数のロック部材を備えた１つのロックユニットでロック可能に構成されるものは、「複数のロック部材」又は「１つのロックユニット」で表し、（２）１又は複数のロック部材を備えたロックユニットが複数個あってロック可能に構成されるものは、「複数のロック部材」又は「複数のロックユニット」で表されてもよい。
【０２２１】
なお、上記はロック構成の違いによって表現を変えるものとしたが、操作回数を主体とした表現も可能である。例えば、第１アンロック操作により、又は、第１アンロック操作と第２アンロック操作によりロック手段１００をアンロック可能と表現してもよいし、１回のアンロック操作により、又は、複数回のアンロック操作によりロック手段１００をアンロック可能と表現してもよい。
【０２２２】
前者は主に操作内容が異なる（例えば、第１アンロック操作で表面カバー体を外し、第２アンロック操作でロック機構を操作するなど）場合に用い、後者は主に操作内容が同じである（例えば、ロック解除ボタンを２回押すなど）場合に用いるが、必ずしもこれに限定されるものではない。
【０２２３】
アンロック機構（又はアンロック操作）が複数ある場合においては、「第１ロック機構のアンロック操作（第１アンロック操作）」と「第２ロック機構のアンロック操作（第２アンロック操作）」のうち、少なくとも何れかのアンロック操作のみを検出可能としてもよいし、両方のアンロック操作を検出可能としてもよい。
【０２２４】
何れかのアンロック操作のみを検出する場合、先の操作（第１アンロック操作）のみを検出する場合は、不正な状況をいち早く察知することができ、報知もいち早くすることができるという効果を奏し、後の操作（第２アンロック操作又はさらに複数のアンロック操作がある場合は第３、第４アンロック操作）のみを検出する場合は、第１アンロック操作のみがなされているような不正な状況であっても、直ちに可動体が動く状況ではない場合に、直ちにエラー報知してしまうことによって遊技者に不快感を与えてしまうことを回避できるという効果を奏する。
【０２２５】
また両方のアンロック操作を検出する場合、詳細なアンロック状況が把握できるので、アンロック状況に応じたアンロックエラー報知を行うことができる。例えば、第１アンロック操作のみを検出した場合はＬＥＤによるエラー報知（第１エラー報知態様）を行い、第２アンロック操作まで検出した場合はＬＥＤおよびスピーカーによるエラー報知（第２エラー報知態様）を行うことも可能であり、徒に遊技者に不快感を与えることのない遊技機を提供できる。
【０２２６】
可動体は、各実施形態に例示するように二位置、又は三位置で変位可能にする他、四位置以上の位置に変位可能にしてもよい。また複数の位置で変位可能な可動体の場合、その全ての位置で可動体を遊技機本体にロック可能にしてもよいし、一部の一つ又は複数の位置で可動体を遊技機本体にロック可能にしてもよい。
【０２２７】
ロック手段１００がアンロック状態のときに、単にエラー報知手段３７によりエラー報知画像を表示してエラー報知をするだけで、その後も遊技の継続を許容する場合には、アンロック検出手段１０１はロック手段１００のアンロックに同期してそれを検出すればよく、厳密にロック手段１００のアンロックと同時にその事実を検出する必要はない。例えば、ロック手段１００のアンロックに先行して、ロック手段１００のアンロック動作によりアンロック検出手段１０１が解除を検出するようにしてもよいし、ロック手段１００の解除から若干遅れてアンロック検出手段１０１がアンロックを検出するようにしてもよい。
【０２２８】
エラー報知手段３７は画像表示手段１６８の一部を利用してエラー画像等により報知する他に、スピーカ等による音声報知、ＬＥＤ等のランプ類によるランプ報知（発光報知）を採用してもよいし、それらを併用して画像報知と音声報知、画像報知とランプ報知、画像報知と音声報知とランプ報知等により報知してもよい。
【０２２９】
ロック手段１００をアンロックした場合、そのアンロック中だけエラー報知を行うようにしてもよいし、アンロックと同期してエラー報知を開始し、その後、エラー解除条件が成立するまでエラー報知を連続的又は間欠的に継続し、エラー解除条件が成立したときにエラー報知を終了するようにしてもよい。
【０２３０】
可動体を第１位置Ａにロックするロック手段１００を設けるに当たっては、そのロック手段１００は可動体が第１位置Ａにないときにはロック状態にならないようにすることが望ましい。しかし、ロック手段１００は、可動体が第１位置Ａに戻った場合には、バネ等の付勢手段１９７で自動的にロック状態になるように構成してもよいし、人為的に操作しない限りロック状態にならないように構成してもよい。勿論、複数の位置に変位可能な可動体を設ける場合には、その複数の位置での可動体の変位の態様によっては、ロック手段１００は複数の各位置でロック状態、アンロック状態を任意に選択できるようにしてもよい。
【符号の説明】
【０２３１】
１  遊技島
２  パチンコ機
７  外枠
８  前枠
９  前扉
１０  遊技機本体
１９  遊技盤装着部
２０  遊技盤
２５  遊技領域
２７  画像表示手段
３７  エラー報知手段
３７ａ  第１エラー報知部
３７ｂ  第２エラー報知部
３９  扉ベース
４０  視認窓
４６  第２側部ユニット
４７  前張り出しユニット（皿ユニット）
６６  ユニット枠
６７  補強板
６８  第１発光演出手段
６９  第２発光演出手段
４６Ａ  側部ユニット本体
７０  第３発光演出手段（可動体）
７１  枢軸
８１  支持板
８２  補強板
９５  取り付け台
９６  固定筒軸
９７  回動軸受
９９  規制手段
１００  ロック手段
１０１  アンロック検出手段
１０９  変換機構
１３２  第２エラー監視手段
１３３  エラー報知制御手段
１６１  遊技機本体
１６２  前突出発光演出手段（可動体）
１８５  演出操作手段（可動体）
１８６  第１軸
１８７  第２軸
１８８  操作部材
Ａ  第１位置
Ｂ  第２位置
Ｃ  第３位置
【図１】
2019154511.tif 000003
【図２】
2019154511.tif 000004
【図３】
2019154511.tif 000005
【図４】
2019154511.tif 000006
【図５】
2019154511.tif 000007
【図６】
2019154511.tif 000008
【図７】
2019154511.tif 000009
【図８】
2019154511.tif 000010
【図９】
2019154511.tif 000011
【図１０】
2019154511.tif 000012
【図１１】
2019154511.tif 000013
【図１２】
2019154511.tif 000014
【図１３】
2019154511.tif 000015
【図１４】
2019154511.tif 000016
【図１５】
2019154511.tif 000017
【図１６】
2019154511.tif 000018
【図１７】
2019154511.tif 000019
【図１８】
2019154511.tif 000020
【図１９】
2019154511.tif 000021
【図２０】
2019154511.tif 000022
【図２１】
2019154511.tif 000023
【図２２】
2019154511.tif 000024
【図２３】
2019154511.tif 000025
【図２４】
2019154511.tif 000026
【図２５】
2019154511.tif 000027
【図２６】
2019154511.tif 000028
【図２７】
2019154511.tif 000029
【図２８】
2019154511.tif 000030
【図２９】
2019154511.tif 000031
【図３０】
2019154511.tif 000032
【図３１】
2019154511.tif 000033
【図３２】
2019154511.tif 000034
【図３３】
2019154511.tif 000035
【図３４】
2019154511.tif 000036
【図３５】
2019154511.tif 000037
【図３６】
2019154511.tif 000038
【図３７】
2019154511.tif 000039
【図３８】
2019154511.tif 000040
【図３９】
2019154511.tif 000041
【図４０】
2019154511.tif 000042
【図４１】
2019154511.tif 000043
【図４２】
2019154511.tif 000044
【図４３】
2019154511.tif 000045
【図４４】
2019154511.tif 000046
【図４５】
2019154511.tif 000047
【図４６】
2019154511.tif 000048